(57)【特許請求の範囲】
【請求項１】
画像付与胴（１８；２２；１８’；２２’）を有する少なくとも１つの印刷ユニット（１９；２３；１９’；２３’）を備えた証券印刷機であって、
前記印刷ユニット（１９；２３；１９’；２３’）の印刷位置（０６；０７；０６’；０７’）において、当該印刷位置（０６；０７；０６’；０７’）における被印刷物送りに対して固定のサイクル長（ＬＺ）を有するサイクル（Ｚ）で、等しい印刷画像長（Ｌ４４）の印刷画像が、被印刷物（０２）の、当該印刷位置（０６；０７）を通過する区間に印刷されることができ、
前記証券印刷機は、さらに乾燥装置を備えており、
前記乾燥装置は、被印刷物経路において前記印刷位置（０６；０７；０６’；０７’）より後置された乾燥器（１４；１６；３６）を有し、
前記乾燥器（１４；１６；３６）は、１部品または多部品構成の乾燥手段（３８）を備えており、
前記乾燥器（１４；１６；３６）によって、当該乾燥器（１４；１６；３６）を通過する被印刷物（０２）の乾燥のために当該被印刷物（０２）に放射が印加され得る、証券印刷機において、
前記乾燥器（１４；１６；３６）の前記乾燥手段（３８）の作動および非作動化を制御する制御装置（３７）が設けられており、
前記制御装置（３７）は、機械位相および／または被印刷物進行を表す信号（ＳＫ）を出力する信号発生器（４２）に信号伝送接続されており、
前記制御装置（３７）は、前記サイクル（Ｚ）ごとに、前記機械位相および／または被印刷物位相との関係において、少なくとも１つの作動期間（ＰＡＮ）と少なくとも１つの非作動期間（ＰＡＢ）とを含むシーケンスに従い、前記乾燥手段（３８）または少なくとも一部の乾燥手段（３８）のオンオフスイッチングをさせ、
前記乾燥器（１４；１６；３６）の前記乾燥手段（３８）は、少なくとも被印刷物最大幅（Ｂ０２ｍａｘ）に及ぶ、多数の、すなわち当該被印刷物最大幅（Ｂ０２ｍａｘ）において１ｍあたり少なくとも５０個の数および／または１ｍあたり少なくとも７０個の分解能で隣り合って配列された放射源（３８ｋ，ｉ）の配列体によって構成されており、
前記放射源（３８ｋ，ｉ）は、可変の幅および／または位置の互いに離隔した複数の乾燥要素（３８ｋ）を構成すべく、共同で作動および非作動化すべき放射源（３８ｋ，ｉ）の複数の互いに離隔した群（３８ｋ）に可変にまとめることができることを特徴とする証券印刷機。
【請求項２】
前記制御装置（３７）は、電子カムスイッチング機構を有する制御手段（５１）を備えている、
請求項１記載の証券印刷機。
【請求項３】
前記乾燥器（１４；１６；３６）の前記乾燥手段（３８）は、１部品の放射源アレイまたは多部品構成の放射源アレイとして、特にＬＥＤアレイとして構成されており、当該放射源アレイは、少なくとも前記被印刷物最大幅（Ｂ０２ｍａｘ）にわたって延在する複数の行を、搬送路に沿った方向で見て前後に並べて有し、当該各行はそれぞれ、複数の放射源（３８ｋ，ｉ）、特にＵＶ‐ＬＥＤを有し、かつ／または、
各群（３８ｋ）は、搬送方向に延在する１つまたは複数の長手方向列であって、それぞれ前記搬送路に沿った方向で見て前後に配列された複数の放射源（３８ｋ，ｉ）、特にＵＶ‐ＬＥＤを有する長手方向列を、隣り合って有する、
請求項１または２記載の証券印刷機。
【請求項４】
搬送方向に対して横方向で見てそれぞれ複数の放射源（３８ｋ，ｉ）、特にＵＶ‐ＬＥＤ（３８ｋ，ｉ）、または放射源（３８ｋ，ｉ）の複数の長手方向列、特にＬＥＤ（３８ｋ，ｉ）の複数の長手方向列が、同一のスイッチング素子に有効接続されており、
前記スイッチング素子を介して前記複数の放射源（３８ｋ，ｉ）は、前記搬送方向に対して横方向における固定の部分群として最小可能ステップ幅を形成し、かつ／または、全体としてのみオンオフスイッチングすることができる、
請求項１から３までのいずれか１項記載の証券印刷機。
【請求項５】
前記制御装置（３７）は、操作インタフェース（５５）および／またはデータインタフェース（５９）に接続された制御手段（４８）を備えており、
前記制御手段（４８）を介して、前記共同および／または同時に作動および非作動化すべき放射源（３８ｋ，ｉ）の互いに離隔した群（３８ｋ）の位置および／または幅および／または数を特定し、かつ変化させることができ、かつ／または、
前記群（３８ｋ）の作動および非作動化を同一の制御ロジックおよび／または同一のスイッチング波形で行う共用の制御手段（５１）が設けられている、
請求項１から４までのいずれか１項記載の証券印刷機。
【請求項６】
前記放射源（３８）の制御の基礎となる前記シーケンスは、互いに等間隔に、有利にはそれぞれ非作動期間（ＰＡＢ）を挟んで離隔した、同一の第１の期間長の少なくとも３つ、有利には少なくとも４つの作動期間（ＰＡＮ）と、当該第１の期間長より有意に長い、すなわち少なくとも２倍の第２の期間長の非作動期間（ＰＡＢ）と、を含む、
請求項１から５までのいずれか１項記載の証券印刷機。
【請求項７】
前記印刷ユニット（１９；２３；１９’；２３’）は、ロータリスクリーン印刷ユニット（１９；２３）として、または凸版印刷ユニット（１９’；２３’）として構成されている、
請求項１から６までのいずれか１項記載の証券印刷機。
【請求項８】
前記印刷ユニット（１９；２３；１９’；２３’）は、複数の画像付与印刷要素（２５；２５’）または画像付与印刷要素（２５；２５’）の複数の群を周面に有する画像付与胴（１８；２２；１８’；２２’）を備えており、前記画像付与印刷要素（２５；２５’）または前記画像付与印刷要素（２５；２５’）の群は、前記印刷画像長（Ｌ４４）に相当する周長上では、互いに等間隔に離隔した複数の列に、かつ、印刷画像幅に相当する胴幅上では、互いに等間隔に離隔した複数の行に配列されており、かつ／または、
列と行とに配列された前記印刷要素（２５；２５’）または前記印刷要素（２５；２５’）の群は、同一のモチーフの主題（２５；２５’）によって、および／または、同一のサイズの印刷ブロックによって得られ、かつ／または、
前記放射源（３８）の制御の基礎となる前記シーケンスは、印刷画像長（Ｌ４４）において周方向に前後に並んだ前記画像付与印刷要素（２５；２５’）または群の行の数（ｎｙ）に相当する数の、互いに等間隔に、有利にはそれぞれ非作動期間（ＰＡＢ）を挟んで離隔した同一の第１の期間長の作動期間（ＰＡＮ）を含む列と、当該第１の期間長より有意に長い、すなわち少なくとも２倍の第２の期間長の非作動期間（ＰＡＢ）と、を有する、
請求項１から７までのいずれか１項記載の証券印刷機。
【請求項９】
前記印刷ユニット（１９；２３）は、スクリーン印刷ユニット（１９；２３）として構成されており、前記画像付与胴（１８；２２）は、画像付与印刷要素（２５）または印刷要素（２５）の群として、スクリーン印刷版のインキ透過領域によって得られるモチーフを有する、または
前記印刷ユニット（１９；２３）は、番号印刷ユニット（１９；２３）として構成されており、前記画像付与胴（１８’；２２’）は画像付与印刷要素（２５’）として番号印刷モジュールを有する、
請求項１から８までのいずれか１項記載の証券印刷機。
【請求項１０】
画像付与胴（１８；２２；１８’；２２’）を備えた少なくとも１つの印刷ユニット（１９；２３）を用いて証券製品または証券中間製品を製造するための方法であって、
前記印刷ユニット（１９；２３）の印刷位置（０６；０７）において、当該印刷位置（０６；０７）における被印刷物送りに対して固定のサイクル長（ＬＺ）を有するサイクル（Ｚ）で、等しい印刷画像長（Ｌ４４）の印刷画像（４４）が、被印刷物（０２）の、当該印刷位置（０６；０７）を通過する区間に印刷され、
被印刷物経路において前記印刷位置（０６；０７）より後置された、乾燥装置の乾燥器（１４；１６；３６）であって、１部品または多部品構成の放射源（３８）を備えた乾燥器（１４；１６；３６）によって、前記被印刷物（０２）の乾燥のために、当該乾燥器（１４；１６；３６）を通過する当該被印刷物（０２）の各区間に放射が印加される、方法において、
前記サイクル（Ｚ）ごとに、機械位相および／または被印刷物位相との関係において、少なくとも１つの作動期間（ＰＡＮ）と少なくとも１つの非作動期間（ＰＡＢ）とで、前記放射源（３８）または少なくとも一部の放射源（３８）のオンオフスイッチングを行うことにより、搬送方向に対して横に互いに離隔した複数のトラック（ｔｉ）で、前記被印刷物（０２）にタイミング制御下で放射を印加し、
共同で作動および非作動化すべき放射源（３８ｋ，ｉ）の互いに離隔した群（３８ｋ）によって局所的に構成された、複数の互いに離隔した乾燥要素（３８ｋ）であって、可変の幅および／または位置の乾燥要素（３８ｋ）によって、前記印加を前記トラックで行う、
ことを特徴とする方法。
【請求項１１】
前記群（３８ｋ）を、互いに異なる複数の製造フローごとに可変に、乾燥手段（３８）の複数の個別の光源または放射源（３８ｋ，ｉ）によって構成し、
各群（３８ｋ）に割り当てるべき光源または放射源（３８ｋ，ｉ）は、動作時には同一の製造フロー内では、常に共同で作動および非作動化し、
前記オンオフスイッチングは、前記トラック（ｔｉ）で、少なくとも１つの作動期間（ＰＡＮ）と少なくとも１つの非作動期間（ＰＡＢ）とを含む同一のシーケンスで行われる、
請求項１０記載の方法。
【請求項１２】
前記トラック（ｔｉ）での前記オンオフスイッチングを、共用の制御手段（５１）によって、同一の制御ロジックおよび／または同一のスイッチング波形で行う、
請求項１０または１１記載の方法。
【請求項１３】
前記放射源（３８ｋ，ｉ）の群の構成を変化させることにより、前記互いに離隔した群（３８ｋ）の幅および／または位置および／または数を変化させる、
請求項１０から１２までのいずれか１項記載の方法。
【請求項１４】
前記印刷ユニット（１９；２３；１９’；２３’）によってスクリーン印刷方式または凸版印刷方式で、特に文字セットで、前記被印刷物（０２）に印刷する、
請求項１０から１３までのいずれか１項記載の方法。
【請求項１５】
前記印刷ユニット（１９；２３；１９’；２３’）によって前記被印刷物（０２）の前記各区間にそれぞれ、複数の互いに等間隔に離隔した列と、複数の互いに等間隔に離隔した行と、で、複数の画像要素（５６）または画像要素群を印刷し、
前記画像要素（５６）または画像要素群は、複数の列と行とで前記被印刷物（０２）の前記区間に設けられたまたは設けられる利用部分（５７）のパターンで施される、
請求項１０から１４までのいずれか１項記載の方法。
【請求項１６】
有利には被印刷シート（０２）として形成された各被印刷物区間には、少なくとも４つの列に隣り合って、かつ少なくとも３つの行に前後に並んで、印刷画像要素（５６）または印刷画像要素（５６）の群を印刷し、かつ／または、少なくとも４つの互いに離隔した隣り合うトラックと、少なくとも３つの互いに離隔して前後に並んだストリップと、のパターンで、放射が印加される、
請求項１０から１５までのいずれか１項記載の方法。
【請求項１７】
前記シーケンスに従ってオンスイッチングされる放射源（３８ｋ，ｉ）の出力を、機械送り速度または被印刷物送り速度を表す量に依存して変化させる、
請求項１１記載の方法。
【発明の詳細な説明】
【技術分野】
【０００１】
本発明は、請求項１の上位概念に記載の証券印刷機、および請求項２０の上位概念に記載の証券製品または証券中間製品の製造方法に関する。
【背景技術】
【０００２】
欧州特許出願公開第２０２５５１５号明細書（EP 2 025 515 A1）によって、２つの印刷位置を含む印刷アセンブリを備えたスクリーン印刷機が公知となっている。各印刷位置は、対向圧胴にスクリーン胴が対接されることによって構成される。これら２つの印刷位置間の被印刷物経路上には、紫外線方式の乾燥装置が設けられており、これによって、第１の印刷位置において施された印刷パターンの少なくとも表面を乾燥させることができる。その後、第２の印刷位置において、先に印刷された領域に直接接する印刷領域、またはかかる領域と完全に重なり合う印刷領域を有する印刷パターンを施すことができる。その際には、１つの被印刷シートにたとえば、両領域を含む、行と列とに配列された複数の画像要素が印刷される。
【０００３】
欧州特許第１６４８７０２号明細書（EP 1 648 702 B1）には、スクリーン印刷法により動作する印刷ユニットを備えた印刷機が開示されており、この印刷機では、圧胴または搬送区間の胴が、インキに含まれる顔料の配向を行うための少なくとも１つの磁性要素を備えており、被印刷物経路は材料下流に乾燥器を含む。
【０００４】
欧州特許第２０６７６２０号明細書（EP 2 067 620 B1）は、多色印刷において被印刷材を乾燥させる方法に関し、この乾燥は、放射源の１次元または２次元アレイを用いて画像内容に依存して行われる。当該方法では、光源を個別に、または群ごとに駆動制御するため、プリプレス段階からのデータを使用する。
【０００５】
独国特許出願公開第１０２００９００７８７３号明細書（DE 10 2009 007 873 A1）に枚葉印刷機が開示されており、この枚葉印刷機では、ＵＶ光によって硬化するインキが印刷されたシートに、所定の領域へのＵＶ光の照射によってエネルギー供給される。こうするためには、当該装置は多数のＬＥＤを備えており、これらのＬＥＤはシートの横方向における所定のゾーンに配置されており、所定の領域の位置および大きさに応じてスイッチオンされる。横方向における各ゾーンのスイッチオンは、シート通過領域の幅に依存して、または当該ゾーンに画像が含まれるか否かに依存して行うことができる。搬送方向では、画像前縁および後縁に依存して、または長手方向に離隔している複数の部分画像の距離に依存して、スイッチオンを行うことができる。照射領域は適切な計算ユニットによって、印刷プロセス前に準備すべきデータに基づいて算出される。
【０００６】
独国特許出願公開第１０２０１２２１５４９１号明細書（DE 10 2012 215 491 A1）によって、処理機およびその動作方法が公知となっており、同文献では、コントロールセンタにジョブの主題に関するデータが供給され、このデータを考慮して、乾燥器の制御装置へ、主題を考慮して被印刷物のサイズ幅にわたって当該乾燥器をゾーンごとに作動または非作動化するための信号が供給される。
【０００７】
欧州特許第１５９９３４０号明細書（EP 1 599 340 B1）は、コーティング剤の紫外線硬化に関し、横方向に被印刷物の両端間において振動するインジェクタヘッドを例に挙げると、ヘッドと連動するＬＥＤは、印刷されたターゲット面のみを放射によって選択的に乾燥するように通電される。その制御はたとえばソフトウェアを介して、たとえば、印刷画像の作成時に使用されたラスタ画像または他のシステムを使用して行われる。変形形態では、ＬＥＤの制御をオフセット印刷機の中間乾燥器または最終乾燥器に転用できる旨が記載されている。これに代えて、再度印刷を行う前に、印刷された被印刷物の制御下での乾燥を行えるように、当該制御をスクリーン印刷に転用できる旨も記載されている。
【０００８】
欧州特許第１４３９０７１号明細書（EP 1 439 071 B1）は、乾燥器を備えたインクジェット印刷機に関するものであり、この乾燥器は、温度に基づいて、またはセンサにより測定された湿度に基づいて制御される。
【０００９】
米国特許出願公開第２００７／０２０６０８３号明細書（US 2007/0206083 A1）もインクジェット印刷機に関するものであり、同文献ではインクの硬化は照射によって、または他の態様のエネルギー印加によって行われる。照射は、インクジェットヘッドで連動するＬＥＤによって行われ、放射量および紙の搬送方向における分布プロフィールは、使用される紙に依存して異なって設定される。
【００１０】
独国特許出願公開第１０２００７０４０１３９号明細書（DE 10 2007 040 139A1）によって開示されている印刷機は、シート搬送胴と共に回転するように当該シート搬送胴に乾燥器を配置したものである。この乾燥器は、周方向および／または軸方向においてゾーンごとに、各隣接するゾーンに依存せずに制御することができ、これにより印刷画像に合わせて調整できるようにすることができる。たとえば碁盤の目状のゾーンは、印刷画像に依存して駆動制御することができる。そのデータは、プリプレス段階から得ることができる。駆動制御は、動作パラメータに依存して行うこともでき、この動作パラメータには、印刷シートサイズ等の印刷シートパラメータも含まれる。
【００１１】
欧州特許出願公開第１１４２７１１号明細書（EP 1142 711 A1）には、印刷機の乾燥装置用のコントローラが開示されており、この乾燥装置は、印刷プロセスを特徴付けるパラメータに依存して制御される。かかるパラメータとして、ＵＶ乾燥器またはＩＲ乾燥器の放射パワーを、先行の印刷ユニットのインキ占有状態に依存して制御することができる。サイズ幅にわたって複数の乾燥器がブロックごとに分布して配置されている場合、個々のブロックを主題のインキ占有状態に応じて駆動制御することもできる。この駆動制御のために使用されるインキ占有状態についてのデータは、刷版スキャンによって、または有利には、デジタルプリプレス段階からのデータセットとして取得することができる。
【００１２】
欧州特許出願公開第２０２５５１５号明細書によって、２つのスクリーン印刷ユニットとその間にＵＶ乾燥器とを備えた証券印刷機が公知となっている。これらのスクリーン印刷ユニットによって、利用部分の複数の行および列から成るラスタに応じて、利用部分ごとに画素が施され得る。
【００１３】
国際公開第２０１５／１１８４４７号（WO 2015/118447 A2）に、文字セットに従って動作する印刷ユニットと追加のスクリーン印刷ユニットとを備えた証券印刷機が開示されている。この文字セット印刷方式で動作する印刷ユニットによって、たとえば番号印刷ユニットとしての構成の場合、連続番号を利用部分に施すことができる。
【００１４】
欧州特許第０９４９０６９号明細書（EP 0 949 069 B1）に開示されている証券印刷機は、第１の印刷位置において第１の面に２色印刷し、第２の印刷位置において両面に同時に多色印刷することが可能なものである。両印刷位置間にＵＶ乾燥器が配置されており、これは、印刷された面に向けられている。
欧州特許出願公開第０７２３８６４号明細書（EP 0723864 A1）から、枚葉印刷用のロータリスクリーン印刷機が公知である。
【発明の概要】
【発明が解決しようとする課題】
【００１５】
本発明の基礎となる課題は、証券印刷機および証券製品または証券中間製品の製造方法を実現することである。
【課題を解決するための手段】
【００１６】
前記課題は本発明では、請求項１ないしは２０の特徴によって解決される。
【００１７】
本発明により達成できる利点は特に、これによって印刷品質の改善および／または印刷時の摩耗を少なくすることおよび／またはエネルギーコストならびに／もしくは保守コストないしは洗浄コストの削減を達成できることである。このことによって、特に高速かつ経済的な乾燥装置や、かかる高速かつ経済的な乾燥装置を備えた印刷機が実現される。特に、高い印刷品質を維持しながら、かつ／またはエネルギーコストを削減しながら、かつ／または摩耗を減少させながら、かつ／または保守コストを削減しながら、有利な一構成または一動作態様では、可変のサイズ長および／または印刷画像長を実現することができ、または他の一構成もしくは一動作態様では、比較的長い非印刷対象の区間によって途切れた印刷画像要素の印刷が可能になる。一発展態様では、画像要素の各部分の選択的な乾燥および定着を達成することができ、これによって、製造対象範囲を拡大することができる。
【００１８】
とりわけ、可変長および／または選択的な乾燥を実現するための特に高速かつ経済的な解決手段が達成される。
【００１９】
利点の実現の観点で特に好ましい、乾燥装置ないしは印刷機に包含される乾燥装置の実施形態では、乾燥装置は乾燥器と制御装置とを備えており、乾燥器は、被印刷物の搬送方向に対して横方向において互いにずらされている、別個にスイッチング可能な複数の乾燥要素を備えた乾燥手段を備えており、それぞれ作動状態では、被印刷物を乾燥させるため、乾燥手段によって被印刷物に乾燥媒体を供給することができ、制御装置によって、機械位相および／または被印刷物位相との関係において、少なくとも１つの作動期間と少なくとも１つの非作動期間とを有するシーケンスを含む繰り返しのサイクルで前記複数の乾燥要素または一部の乾燥要素のオンオフスイッチングが行われ、かつ／または行われ得る。
【００２０】
有利な一解決手段では証券印刷機は、画像付与胴を有する少なくとも１つの印刷ユニットを備えており、当該印刷ユニットの印刷位置において、当該印刷位置における被印刷物送りに対して固定のサイクル長を有するサイクルで、等しい印刷画像長の印刷画像が、当該印刷位置を複数の区間で通過する被印刷物、特に被印刷ウェブの複数の区間または有利には複数の被印刷シートに印刷されることができ、証券印刷機はさらに乾燥装置を備えており、乾燥装置は、被印刷物経路において当該印刷位置より後置された乾燥器を有し、乾燥器は、１部品または多部品の放射手段を備えており、乾燥器によって、当該乾燥器を通過する被印刷物の乾燥のために当該被印刷物に放射が供給され得る。有利には、乾燥器の放射手段の作動および非作動化を制御する制御装置が設けられており、制御装置は、機械位相および／または被印刷物進行を表す信号を出力する信号発生器に信号伝送接続されており、‐動作時には‐制御装置はサイクルごとに、機械位相および／または被印刷物位相との関係において、少なくとも１つの作動期間と少なくとも１つの非作動期間とを含むシーケンスに従い、放射手段または少なくとも一部の放射手段のオンオフスイッチングをさせる。
【００２１】
画像付与胴を備えた少なくとも１つの印刷ユニットを用いて証券製品または証券中間製品を製造するための特に有利な方法では、当該印刷ユニットの印刷位置において、当該印刷位置における被印刷物送りに対して固定のサイクル長を有するサイクルで、等しい印刷画像長の複数の印刷画像が、被印刷物の、当該印刷位置を通過する区間、特に被印刷ウェブの区間または有利には被印刷シートに印刷され、被印刷物経路において当該印刷位置より後置された、乾燥装置の乾燥器であって、１部品または多部品の放射手段を備えた乾燥器によって、被印刷物の乾燥のために、当該乾燥器を通過する当該被印刷物の各区間に放射が供給される。サイクルごとに、機械位相および／または被印刷物位相との関係において、少なくとも１つの作動期間と少なくとも１つの非作動期間とを含むシーケンスに従い、放射手段または一部の放射手段のオンオフスイッチングを行う。
【００２２】
かかる乾燥装置は、特に証券用紙、とりわけ証券用紙から成る被印刷シートに印刷する証券印刷機であって、印刷アセンブリないしは印刷ユニットによって施された印刷画像が、その幅において複数の利用部分を整列したもの、および／または当該印刷画像の長さにおいて複数の利用部分を整列したものを有し、たとえば利用部分ごとに印刷すべき印刷要素の、少なくとも各利用部分における位置および／または外形および／または印刷パターン全体が相違しない証券印刷機において、利点を奏する。
【００２３】
特に証券印刷では‐たとえば、銀行券または他の証券関連の文書等の証券の製造時において‐スクリーン印刷または番号印刷時に、印刷位置ごとにそれぞれ、同一の画像パターンおよび／または群パターンの、互いに有意に離隔した小さい画像要素のみまたは画像要素群のみを印刷する。このことは、大きな未印刷領域の不要な加熱もしくは許容範囲を完全に超える過熱および／または不要なエネルギーの消費のおそれをはらんでいる。
【００２４】
特に、可変の被印刷物サイズを処理できることと組み合わせると、‐特に、インキ厚を規則的に大きくしていくスクリーン印刷の場合、および／またはスクリーンの印刷を予定されていない領域もごく少量で通過したインキによって対向加圧面が汚れるおそれがある場合において‐、計画通りの印刷が行われた領域のみにおいて乾燥が行われるという格別な利点が奏される。このことは、比較的小さい画像要素を文字セットで印刷する場合、たとえば番号印刷時にも、同様に当てはまる。
【００２５】
上記の有利な実施形態および方法を発展させる特徴、たとえば以下および／または実施例を参照してかつ／または従属請求項の発明特定事項に記載されている特徴は、さらなる有利な実施形態を構成すべく単独または複数で追加することがあり得る。
【００２６】
上記解決手段のさらなる可能な一実施形態では、繰り返しのオンオフスイッチングシーケンス全体の位置および／または長さを、制御軸信号発生器と同期させ、または有利には、機械位相および／または被印刷物進行を検出するセンサ系の信号と直接同期させることができる。
【００２７】
証券印刷機の有利な一発展形態、特に少なくとも１つの印刷ユニットと、被印刷物経路上において印刷位置より後置された１部品または多部品構成の乾燥手段を有する乾燥器を備えた乾燥装置とを備えた証券印刷機の有利な一発展形態であって、印刷ユニットの印刷位置において、当該印刷位置における被印刷物送りに対して固定のサイクル長のサイクルで、当該印刷位置を通過する被印刷物の区間に、印刷画像長の印刷画像を当該区間ごとに印刷することができ、当該乾燥器によって、当該乾燥器を通過する被印刷物を乾燥させるため、被印刷物の搬送方向に延在する少なくとも１つのトラックで、当該被印刷物に放射を印加することができ、当該証券印刷機はさらに、当該乾燥器の動作を制御する制御装置を備えている証券印刷機の有利な一発展形態では、制御装置に接続された操作インタフェースが設けられており、当該操作インタフェースは、オペレータによって当該乾燥装置を、乾燥器により印加されるべき少なくとも１つのトラックの側方の位置および／または幅に関してコンフィギュレーションするための操作要素を備えている。
【００２８】
証券印刷機における乾燥装置のコンフィギュレーション、特に少なくとも１つの印刷ユニットを備えた証券印刷機であって、印刷ユニットの印刷位置において、当該印刷位置における被印刷物送りに対して固定のサイクル長のサイクルで、当該印刷位置を通過する被印刷物の区間に、特に被印刷シートに、印刷画像長の印刷画像、特にちょうど１つの印刷画像を区間ごとに印刷し、当該乾燥装置は、被印刷物経路上において印刷位置より後置された１部品または多部品構成の乾燥手段を有する乾燥器を備えており、当該乾燥器によって、当該乾燥器を通過する被印刷物を乾燥させるため、被印刷物の搬送方向に延在する少なくとも１つのトラックで、当該被印刷物に放射が印加され、当該証券印刷機はさらに、当該乾燥器の動作を制御する制御装置を備えている証券印刷機における乾燥装置のコンフィギュレーションでは、実行中または待機中の製造のために操作インタフェースにおいて、乾燥器により印加されるべき少なくとも１つのトラックの側方の位置および／または幅に関して乾燥装置をコンフィギュレーションする。
【００２９】
証券印刷機の有利な他の一発展形態、特に少なくとも１つの印刷ユニットと、被印刷物経路上において印刷位置より後置された１部品または多部品構成の乾燥手段を有する乾燥器を備えた乾燥装置とを備えた証券印刷機の有利な一発展形態であって、印刷ユニットの印刷位置において、当該印刷位置における被印刷物送りに対して固定のサイクル長のサイクルで、当該印刷位置を通過する被印刷物の区間に、印刷画像長の印刷画像を区間ごとに印刷することができ、当該乾燥器によって、当該乾燥器を通過する被印刷物を乾燥させるため、被印刷物の搬送方向に延在する少なくとも１つのトラックで、当該被印刷物に放射を印加することができ、当該証券印刷機はさらに、当該乾燥器の動作を制御する制御装置を備えている証券印刷機の有利な一発展形態では、上掲の操作インタフェースと共に、またはこれに代えて、被印刷物経路上に、信号技術により制御装置に接続された画像取得および／または画像解析装置を設けることができ、画像取得および／または画像解析装置によって、上流にて被印刷物に施された画像要素または画像要素群の位置および／または寸法についてのデータ、すなわち位置および／または寸法を宣言するデータ、またはこれを表すデータ、または当該データを含む情報を、制御装置へ供給することができる。
【００３０】
証券印刷機における乾燥装置のコンフィギュレーションであって、特に少なくとも１つの印刷ユニットを備えた証券印刷機であって、印刷ユニットの印刷位置において、当該印刷位置における被印刷物送りに対して固定のサイクル長のサイクルで、当該印刷位置を通過する被印刷物の区間、特に被印刷シートに区間ごとに、印刷画像長の印刷画像が、特にちょうど１つの印刷画像が印刷され、乾燥装置は、被印刷物経路上において印刷位置より後置された１部品または多部品構成の乾燥手段を備えた乾燥器を有し、当該乾燥器によって、当該乾燥器を通過する被印刷物を乾燥させるため、被印刷物の搬送方向に延在する少なくとも１つのトラックで、当該被印刷物に放射が印加され、さらに、当該乾燥器の動作を制御する制御装置が設けられている証券印刷機における乾燥装置のコンフィギュレーションに際しては、実行中または待機中の製造のために、‐少なくとも特に‐画像取得ならびに／もしくは画像解析装置に基づくデータ、または画像取得および／または画像解析装置から得られたデータを使用して、特に画像要素の位置および／または寸法に関するデータを使用して、乾燥器により印加されるべき少なくとも１つのトラックの側方の位置および／または幅を調整および／または変化させることにより当該少なくとも１つのトラックの側方の位置および／または幅について乾燥装置のコンフィギュレーションを行う。
【００３１】
図面に本発明の実施例を示しており、以下の記載にてこれらの実施例を詳細に説明する。
【図面の簡単な説明】
【００３２】
【図１】一実施例の、印刷アセンブリを備えた印刷機、とりわけ証券印刷機のａ）第１の構成、ｂ）第２の構成、ｃ）第３の構成を示す図である。
【図２】図１の実施例の印刷アセンブリのａ）シート処理構成およびｂ）ウェブ処理構成の細部を拡大して例示する図である。
【図３】対向圧および／または搬送胴セグメントの概略的な断面図である。
【図４】対向圧および／または搬送胴の周面セグメントの概略的な展開図である。
【図５】ａ）スクリーン胴およびｂ）番号印刷胴において、一例として主題である画像付与印刷要素を備えた画像付与胴の概略的な斜視図である。
【図６】第１の構成の制御装置および乾燥器を備えた乾燥装置の概略図である。
【図７】第２の構成の制御装置および乾燥器を備えた乾燥装置の概略図である。
【図８】それぞれ多数の放射源を横に整列した複数の行を前後に整列したものを備えた乾燥手段の構成の斜視図である。
【図９】第１の構成で設けられる乾燥要素の位置決めおよび／または選択の概略図である。
【図１０】群構成によって実現された、第２の構成で設けられる乾燥要素の構成の概略図である。
【図１１】ａ）１つのオンオフスイッチングシーケンスの中での期間の順序、およびｂ）これに対応する、１つまたは複数の乾燥要素の状態に該当するスイッチング状態を含むスイッチング波形の基本図である。
【図１２】ａ）大きな被印刷物サイズの場合と、ｂ）小さい被印刷物サイズの場合とにおける、１つのオンオフスイッチングシーケンスの中でのスイッチング波形すなわち期間の順序の基本図である。
【図１３】搬送方向に対して横方向および長手方向における、図１１の可能なスイッチング波形の概略図である。
【図１４】現在の印刷画像長に依存する、１つのオンオフスイッチングシーケンスの中でのスイッチング波形すなわち期間の順序の基本図である。
【図１５】搬送方向に対して横方向および長手方向における、図１３の可能なスイッチング波形の概略図である。
【図１６】印刷画像長に存在する印刷ストリップの位置、長さおよび数に依存する、１つのオンオフスイッチングシーケンスの中でのスイッチング波形すなわち期間の順序の基本図である。
【図１７】ａ）複数の行および列に配列された利用部分における画像要素のパターンと、ｂ）搬送方向に対して横方向および長手方向において観察した、対応する可能なスイッチング波形とを示す概略図である。
【図１８】１つのトラックにのみエネルギー印加した場合の、図１１のスイッチング波形の一変形形態の概略図である。
【図１９】現時点の機械速度を考慮して行われる、乾燥器ないしは乾燥手段の駆動制御の概略図である。
【図２０】第１の実施形態の操作インタフェースを使用して行われる、乾燥器の駆動制御およびコンフィギュレーションの概略図である。
【図２１】寸法および／または位置に関する操作インタフェースの概略図である。
【図２２】第２の実施形態の操作インタフェースを使用して行われる、乾燥器の駆動制御およびコンフィギュレーションの概略図である。
【図２３】画像要素の位置、およびこれに対応してコンフィギュレーションされた乾燥要素ないしは放射源群または１列もしくは複数列の放射セグメントの例を概略的に示す図である。
【図２４】被印刷物の位置、およびこれに対応してコンフィギュレーションされた乾燥要素の例を概略的に示す図である。
【図２５】第３の実施形態の操作インタフェースを使用して行われる、乾燥器の駆動制御およびコンフィギュレーションの概略図である。
【図２６】画像取得および／または画像解析のための装置から得られたデータを使用して行われる、乾燥器の駆動制御およびコンフィギュレーションの概略図である。
【発明を実施するための形態】
【００３３】
たとえば有利には枚葉印刷機として、または場合によってはロール印刷機としても構成される印刷機は、シート型またはウェブ型の被印刷物０２を印刷機へ供給するための供給装置０１を供給側に備えており、また、被印刷物０２の片面または両面に一重または多重印刷をするための少なくとも１つの印刷アセンブリ０３と、印刷された製品または中間製品をスタック状もしくは連続的に排出しまたは巻き取ってロールにする製品排出部０４とを備えている（たとえば図１ａ，図１ｂおよび図１ｃを参照のこと）。
【００３４】
図中に示されている有利な一構成では、印刷機は証券印刷用の印刷機として、たとえばウェブ状の被印刷物０２に印刷するための、たとえば被印刷物ウェブに印刷するための、または有利にはシート型の被印刷物０２に、たとえば被印刷シート０２に印刷するために構成されている。後者の構成の場合、供給装置０１はたとえば、供給すべき印刷対象の被印刷シート０２のスタックを配置できるシートフィーダ０１として構成されている。「証券印刷」とは、ここでは特に、たとえば銀行券、または１つもしくは複数の偽造防止特徴を施された他の証券関連の文書および／または証券用紙等の印刷を意味することとする。
【００３５】
印刷機は、有利には証券印刷用のロール印刷機または有利には枚葉印刷機として構成されており、たとえば、一構成では未だ印刷されていない被印刷物０２から、または他の構成では既に印刷された被印刷物０２から、たとえば被印刷シート０２から、特に証券ウェブまたは特に証券シート、たとえば銀行券または他の証券関連の文書を有するウェブまたは特にシートを、製品またはさらに処理すべき中間製品として製造するように構成されている。
【００３６】
特に証券印刷に有利である第１の構成では、‐少なくとも特に‐透過印刷方式および／または凸版印刷方式で動作する印刷機として、特に、‐既にインラインまたは特にオフラインで‐既に利用部分のラスタを印刷された被印刷物０２に、利用部分ごとに透過印刷法または凸版印刷法で少なくとも１つの偽造防止特徴および／または各利用部分を個体識別する識別子を印刷し、かつ／または印刷することができるポストプレス処理機として、構成されている。
【００３７】
同様に証券印刷に有利である、他の図示の一実施形態では、被印刷物経路上において前後に整列した複数の印刷位置で、少なくとも各印刷位置において、被印刷物０２の両面、特に証券用紙の両面に、特に多色印刷するように構成されている。
【００３８】
たとえば証券印刷機として構成されている印刷機の印刷アセンブリ０３は、原則的には、少なくとも１つの印刷位置０６；０７；０６’；０７’を有する任意の印刷方式の印刷アセンブリ０３として、たとえば凸版印刷方式、凹版印刷方式、オフセット方式、スクリーン印刷方式または前掲の複数の方式で順次動作する印刷アセンブリ０３として構成することができるが、図示の第１の構成では、透過印刷方式または凸版印刷方式で被印刷物に印刷する構成となっている。図示の有利な一実施例では、印刷アセンブリ０３は少なくとも１つの印刷位置０６；０７の領域において被印刷物０２の少なくとも１つの被印刷物面に、スクリーン印刷法で、特にロータリスクリーン印刷で印刷するように構成されている。たとえば図１ｂに示されている代替的または追加的に有利な他の一実施例では、前記印刷アセンブリ、または場合によっては他の印刷アセンブリ０３’は、少なくとも１つの印刷位置０６’；０７’の領域において被印刷物０２の少なくとも１つの被印刷物面に、凸版印刷法で、特にいわゆる文字セットで、たとえば番号印刷ユニットを用いて印刷するように構成されている。
【００３９】
第３の構成では、第１の印刷位置０６’’において被印刷物０２の両面のうち少なくとも第１の面に、サイクル長より短い印刷画像長の印刷画像を印刷し、かつ同一サイクル中に、下流方向に次の第２の印刷位置０７’’において当該被印刷物０２の少なくとも第２の面に、サイクル長より短い印刷画像長の印刷画像を印刷することができる。上掲の第１および第２の印刷位置には、他の印刷位置を前置することができる。
【００４０】
たとえばスクリーン印刷法または文字セットで印刷される被印刷物０２は有利には、被印刷シート０２および／または既に他の印刷法で印刷された被印刷物０２および／またはたとえば紡織繊維、ロープ繊維、麻繊維および／または合成繊維、たとえばプラスチック基材（ポリマー基材）または混成基材を含む証券用紙とされる。
【００４１】
印刷機が枚葉印刷機として構成されている場合、被印刷シート０２はたとえばシートスタックの各層として、シートフィーダ０１として構成された供給装置０１に保有されており、このシートスタックから各被印刷シート０２は、たとえば吸盤を備えたグリップ装置０８によって個別に取り出され、分離されて搬送区間０９を介して、たとえば、有利にはベルトシステム０９として構成されたコンベヤシステム０９と、場合によってはフィーダドラムとを介して、印刷アセンブリ０３の入口領域まで搬送することができる。このグリップ装置０８は、詳細には図示されていない。被印刷シート０２は印刷アセンブリ０３の入口、たとえば渡し胴１１において、当該印刷アセンブリ０３に対して設けられた搬送区間へ、たとえば当該印刷アセンブリ０３に対して設けられたコンベヤシステムを介して引渡され、この搬送区間によって被印刷シート０２は搬送経路に沿って１つまたは複数の印刷位置０６；０７を通過し、その後‐たとえば受取胴１２によって‐、印刷アセンブリ０３に対して設けられた搬送区間から、１部品または多部品構成の第３の搬送区間１３に入り、ないしは第３の搬送区間１３へ、たとえばベルトシステム１３へ引渡され、このベルトシステム１３によって製品排出部０４まで、たとえば、スタック形成のための１つまたは複数のシート保管部を備えた製品排出部０４まで搬送される。
【００４２】
印刷機がウェブ処理構成である場合、ウェブ状の被印刷物０２は印刷アセンブリ０３の領域において、当該ウェブが巻き付けられる１つまたは複数のローラおよび／または胴を備えた搬送区間を通過する。
【００４３】
印刷機が枚葉処理方式の印刷機である上述の有利な構成では、印刷アセンブリ０３に対して設けられた搬送区間は有利には、搬送方向において連続する複数の胴間および／またはシリンダ間において被印刷シート０２を連続的に引渡すことにより搬送経路に沿って印刷アセンブリ０３を通過させて搬送するくわえ爪システムとして構成されている。たとえばくわえ爪システムとして構成された搬送区間の終端部において、被印刷シート０２は第３の搬送区間１３へ排出される。
【００４４】
第１の実施形態の印刷アセンブリ０３；０３’は、少なくとも搬送区間の片面に少なくとも１つの印刷位置０６；０６’を備えており、これによって、被印刷物０２の被印刷物面のうち片面に印刷することができ、ないしは印刷される。印刷位置０６’は、２つの回転体１８；２１のニップ位置０６；０６’によって、たとえば第１の印刷ユニット１９；１９’の胴１８と、当該胴１８に対して迫り出し部として機能する胴２１、たとえば対向圧および／または搬送胴２１との間のニップ位置０６；０６’によって形成することができる。
【００４５】
この少なくとも１つの第１の印刷位置０６；０６’より下流において、被印刷物０２の被印刷物経路上に、特に、印刷アセンブリ０３，０３’を通過して下流において印刷位置０６；０６’に接続している搬送区間内に、少なくとも１つの印刷位置０６；０６’によって印刷される被印刷物面と接触コンタクトしている第１の回転体２２を配置することができる。これは、被印刷物経路上において印刷位置０６；０６’に後置されるものである。印刷されたばかりの被印刷物面と協働するこの回転体２２は、たとえばコンベヤシステムのガイドおよび／または搬送胴として、被印刷物の冷却もしくは加熱のための調整胴として、または特に、他の印刷位置０７；０７’を上掲の印刷ユニット１９；１９’の次の印刷ユニット２３；２３’の胴２２として構成するために構成することができる。
【００４６】
かかる第２の印刷位置０７；０７’は、第２の印刷ユニット２３；２３’の胴２２と、迫り出し部として働く胴との間のニップ位置０７’によって形成され得る。この胴はたとえば、第１の印刷ユニット１９；１９’に対して対向圧および／または搬送胴２１として機能する胴２１によって、またはこれとは異なる、対向圧および／または搬送胴として働く他の胴によって構成される。印刷機および／または印刷アセンブリ０３の被印刷物経路上において、上流または下流にさらに、上述の同一の被印刷物面に作用する１つもしくは複数の他の印刷ユニット、および／または１つもしくは複数の、他方の被印刷物面に作用する他の印刷ユニットを設けることもできる。
【００４７】
少なくとも１つの印刷位置０６；０７；０６’；０７’に後置されている被印刷物経路上には、乾燥器１４；１６；３６を備えた少なくとも１つの乾燥装置が設けられており、この乾燥装置によって、被印刷物０２上に付着した印刷流体、たとえば印刷インキ、塗膜材または他のコーティング剤の少なくとも表面を乾燥させることができ、ないしは乾燥させる。かかる乾燥装置は、印刷ユニット１９と、印刷されたばかりの被印刷物面と協働する後置の回転体２２との間に、たとえば印刷ユニット１９；１９’と後置の印刷ユニット２３；２３’との間の中間乾燥装置として設けることができ、また、被印刷物経路に向けられる乾燥器３６を備えることができる。これに代えて、または有利にはこれと共に、被印刷物経路上において唯一または最後の印刷ユニット１９；１９’；２３；２３’に、すなわち印刷アセンブリ０３；０３’に、少なくとも１つの乾燥装置を後置することができ、この少なくとも１つの乾燥装置は、被印刷物経路に向けられる乾燥器１４；１６を備えることができる。
【００４８】
２つの印刷ユニット１９；１９’；２３；２３’間の被印刷物経路上、または印刷アセンブリ０３；０３’の最後の印刷ユニット１９；１９’；２３；２３’より下流の被印刷物経路上には、付着した印刷流体の視覚的印象を‐特に未だ完全に乾燥していない状態で‐変化させる調整装置１７を設けることができる。この調整装置１７はたとえば、被印刷物０２に磁力線を所定の方向に印加する装置１７として構成することができ、印刷流体は、磁力線によって配向し得る粒子、たとえば磁化可能でありまたは磁気的に働く顔料を含むことができる。
【００４９】
ここで明示的に図示されている有利な実施形態（たとえば図１ａ、図２）では、少なくとも１つの印刷ユニット１９、および特に同一の被印刷物面と少なくとも１つの他の協働する印刷ユニット２３も、スクリーン印刷方式で動作する印刷ユニット１９；２３（略して「スクリーン印刷ユニット１９；２３」という）として構成されており、また、印刷ユニット１９；２３に対して設けられた印刷付与胴１８；２２は版胴１８；２２として、特にいわゆるスクリーン胴１８；２２として構成されている。
【００５０】
スクリーン胴１８；２２は、対向圧および／または搬送胴２１の周面にくっついて転動し、上述のニップ位置０６；０７の領域において、対向圧および／または搬送胴２１と共に印刷位置０６，０７を成す。スクリーン胴１８；２２の周面の領域には、刷版３１；３２として、実際上または仮想上の胴軸を中心として配置されたスクリーン印刷ステンシル３１；３２が設けられている。このスクリーン印刷ステンシル３１；３２は、取り付けられた状態ではたとえば、詳細に図示されていない環状フランジの端面に取り外し可能に固定される。スクリーン印刷ステンシル３１；３２は基本的に、エンドレスの円筒周面状ないしは円筒スリーブ状のスクリーン印刷ステンシルとして、またはエンドレスであるが取り付けられた状態では周面が僅かな接触部を形成して閉じられるスクリーン印刷ステンシル３１；３２として構成することができる。
【００５１】
版胴１８；２２の内側には、スクイージ装置３３のスクイージ３４が設けられており、これは対接状態では、スクリーン胴１８；２２の周面領域において内側からスクリーン印刷ステンシル３１；３２に対接され、スクイージ３４はこの周面領域において、対向圧および／または搬送胴２１と共に印刷位置０６；０７を成す。この位置はたとえば、‐動作回転方向を基準として‐対向圧および／または搬送胴２１とのニップ位置０６；０７より最大５°前方または後方に設けることができる。このように対接されたスクイージ３４は、印刷インキを隆起部状に盛り上げ、このインキを当該スクイージ３４の前方に転がし、スクリーン印刷ステンシル３１；３２の透過部に通して外部へ押し出す。
【００５２】
以下にて詳細に説明する、対向圧および／または搬送胴２１に設けられた切れ目２８、たとえば開口２８を通過した後に、後続の区間ＵＤたとえば周面区間ＵＤにおいてニップ位置０６；０７によって可能な限り迅速な印刷再開を可能にするためには、この開口２８を一時的に少なくとも部分的に覆うため、上述のインキ着け補助部２９を、たとえばフラップ２９として構成されたカバー要素２９を設けることができる。このカバー要素２９によって、開口２８は少なくとも当該開口２８の進行領域において一時的に覆われ得る。これによって、たとえば開口２８の開放領域のニップ通過時に持ち上がったスクイージ３４の早期の対接が可能になる。カバー要素２９はたとえば、妨げの無い円筒周面区間と僅かに重なり合うことができ、かかる場合、このカバー要素２９によって、印刷のために最大使用可能な周面区間ＵＤの長さが短縮する。この幾何学的な短縮は、早期の対接によって、たとえば補償以上のものになる。この早期の対接によって、‐動作中の転動を基準として‐進行側の印刷領域始端は、理想的にはカバー要素２９に直接続くことができるが、場合によっては、さらに僅かな安全距離を介してカバー要素２９に続くことができる。カバー要素２９の後にたとえば上述の僅かな重なり合いや場合によっては僅かな安全距離があることによって印刷のために使用不可の周面区間ＵＮが進行側の開口エッジを超えて延長した部分、および／または可能な限り早期の印刷領域始端から後行側の開口エッジまでの距離は、たとえば１０ｍｍ〜５０ｍｍ、有利には最大３０ｍｍ付近となり得る。
【００５３】
印刷のために最大使用可能な長さＬＤは、機械および／または安全上の制約を受ける可能な限り早期の印刷領域始端と、機械および／または安全上の制約を受ける後行側の可能な限り遅い時期の印刷領域終端とによって制限される。可能な限り遅い時期の印刷領域終端は基本的に、後続の開口２８の進行側端部、たとえば後続の開口２８の進行側の開口エッジと一致することができ、または、‐たとえば安全上ならびに／もしくは汚れのおそれの理由により、および／または機能に起因して‐後続の溝開口の後行側のエッジから遵守すべき距離ａｓだけ離隔することができる（たとえば図３および図４に概略的に示されているので、参照のこと）。印刷のために最大使用可能な長さＬＤはたとえば、迫り出し部たとえば対向圧および／または搬送胴２１における妨げの無い周面の長さによって、または印刷ならびに／もしくは搬送に供される他の機械要素によって、または搬送方向ならびに／もしくは周方向で見て、印刷ユニット１９；２３；１９’；１９’；２３’；１９’’；２３’’用の刷版３１；３２の、印刷のために最大使用可能な長さ（以下単に「印刷長」という）によって制限され得る。通常は、これらのパラメータは互いに合わせて調整され、実質的には互いに一致する。
【００５４】
対向圧および／または搬送胴２１の一重構成の場合、「後続の溝開口」とは、ここでは同一の唯一の溝開口をいう。
【００５５】
印刷機が枚葉印刷方式の印刷機として構成されている場合、少なくとも１つの対向圧および／または搬送胴２１は周面に少なくとも１つの保持装置２４を、たとえば１つのくわえ爪または複数のくわえ爪の一群を備えたくわえ爪装置２４を備えており、この保持装置２４によって、入口側においては被印刷シート０２の進行側の端部を保持することができ、出口側においては下流の搬送区間へ排出することができる。くわえ爪装置２４はたとえば、胴２１のそれ以外の部分は円筒状である周面２７に設けられた溝２６内に配置されており、当該溝２６の径方向外側を向いた開口２８、たとえば溝開口２８は、円筒周面状の周面２７の切れ目となって妨げとなる。
【００５６】
複数の、たとえばｎの数（ｎ∈Ｎ）の、たとえばｎ＝３の被印刷シート０２を周方向において前後に保持するように構成された、対向圧／搬送胴２１の構成では、対向圧／搬送胴２１は周方向において前後に、かかる保持装置２４と、各保持装置２４間に位置する円筒周面状の周面区間（たとえば図２ａを参照のこと）とを多重に、すなわちｎ重に、ここではたとえば３重に備えている。印刷機がウェブ処理構成である場合、かかる保持装置を省略することができる（たとえば図２ｂを参照のこと）。平たくいうと、ｎ倍の大きさの胴２１は、それぞれ切れ目無く印刷に使用可能なｎ個の周面区間ＵＤを有する。
【００５７】
枚葉印刷の場合に周方向に設けられる保持装置２４の種類および数ｎにかかわらず、対向圧／搬送胴２１の周面にある各溝開口２８によって、その他は妨げの無い円筒形に延在する周面２７の切れ目が生じる。
【００５８】
ｎ倍すなわち１倍または複数倍の大きさの構成では、対向圧／搬送胴２１は周方向で見て、印刷時に迫り出し部として使用可能なｎ個すなわち１つまたは複数の周面区間ＵＤ、特に円筒周面区間ＵＤと、印刷時に迫り出し部として使用不可能であるｎ個すなわち１つまたは複数の周面区間ＵＮであって、保持装置２４を備え、かつ周面２７が妨げのある周面区間ＵＮとを含む。印刷時に迫り出し部として使用可能な周面区間ＵＤは、一般的にいわゆる「鞍部」とも称される。
【００５９】
開口２８を有する、印刷に適しないかつ／または印刷用に設けられていない周面区間ＵＮは、連続した円線に沿って転動有効長ＬＮを有し、これは、開口にわたる円弧長に相当する。このことに応じて、印刷に使用可能な周面区間ＵＮは長さＬＮを有し、この長さＬＮは同時に、可能な印刷画像長Ｌ４４の上限も定める。
【００６０】
印刷迫り出し部として使用できない周面区間ＵＮは、基本的には、保持装置２４を受容する溝２６の開口２８のみによって、または場合によっては、当該開口２８と‐設けられている場合には‐進行側ならびに／もしくは後行側に接続している機能区間、たとえば、場合によっては進行側に設けられているインキ着け補助部２９の重なり合い領域（下記参照）、ならびに／もしくは規定により遵守すべき、後続の溝開口の後行側のエッジからの距離とによって、定まることができる。逆に、印刷のために使用可能な周面区間ＵＤは基本的には、切れ目２８の進行側の端部、たとえば開口２８の進行側の端部と、周方向において後続する同一の、または次の開口２８の後行側の端部の間に位置する円筒周面区間によって定まることができる。周面２７上における妨げ部を進行側および／または後行側において区切る輪郭が不規則な構成である場合、「印刷時に使用不可能な周面区間ＵＮの長さＬＮ」とはたとえば、周方向で見て、妨げの無い周面２７における、同一の保持装置２４に起因する切れ目２８の進行側の最初の位置と後行側の最後の位置との間の被印刷物長ないしはシート長Ｌ０２をいう。
【００６１】
スクリーン印刷ユニット１９，２３によって、たとえば、利用部分のラスタが複数の列および行で印刷される被印刷物０２には、利用部分ごとに印刷画像要素５６（略して「画像要素５６」という）が、または画像要素５６と同等の構造の群が印刷され得る。
【００６２】
画像付与胴１８；２２はスクリーン印刷では、たとえば多数の画像付与印刷要素２５または画像付与印刷要素２５の群を周面に（たとえば図５ａ）有し、これらの印刷要素２５は、搬送方向に対して横方向において互いに等間隔に離隔した複数の列と、印刷画像幅に相当する胴幅上にて、搬送方向に互いに等間隔に離隔した複数の行とに配列されている。スクリーン印刷の場合、これらはたとえば、インキ透過領域によって形成される主題２５によって定まる。周方向と円筒長手方向とにおいて繰り返すこれらの印刷要素２５または群は、たとえばその全てが、１部分または多部分の同一のモチーフによって定まることができる。
【００６３】
同様に有利である一実施形態（たとえば図１ｂ、図５ｂに例示）では、少なくとも１つの印刷ユニット１９’、および特に同一の被印刷物面と少なくとも１つの他の協働する印刷ユニット２３’も、凸版印刷方式で、特に文字セットで動作する印刷ユニット１９’；２３’として、たとえば番号印刷ユニット１９’；２３’として構成されており、また、印刷ユニット１９’；２３’に対して設けられた画像付与胴１８’；２２’は版胴１８’；２２’として、特にいわゆる凸版圧胴１８’；２２’として、たとえば番号印刷圧胴として構成されている。上述の構成では、かかる画像付与胴１８’；２２’は周面上に、凸版印刷主題２５’として、特に番号印刷装置２５’として構成された印刷要素２５’ないしはかかる画像付与印刷要素２５’の群を、たとえば番号印刷モジュール２５’を備えている。印刷ユニットは、番号印刷ユニットとして構成されている場合、たとえば、被印刷物０２上に並んで設けられた利用部分５７の列数、たとえば銀行券の列数に少なくとも相当する数の、搬送方向に対して横方向に互いにずれて配置された番号印刷装置２５’を備えている。印刷に適した周面区間ＵDおよび印刷に適しない周面区間ＵＮについて上記にて述べた事項は、この構成にも準用することができる。
【００６４】
少なくとも１つの乾燥装置は、有利には放射乾燥器１４；１６；３６として構成された乾燥器１４；１６；３６を備えている。乾燥器１４；１６；３６は、乾燥のために機能する乾燥手段３８、たとえば放射源３８を備えており、被印刷物０２を乾燥させるため、この乾燥手段３８によって被印刷物０２に乾燥媒体が供給され得る。乾燥手段３８ないしは放射源３８は、基本的に１部品として構成することができ、作動時には、有効全幅ｂＡにわたって一続きで延在する有効範囲Ａを成すことができる。この有効全幅ｂＡは、たとえば少なくとも、‐横方向（たとえば図中では方向ｘによって示されている）における‐最大印刷幅に相当する。
【００６５】
有利には、乾燥装置は有効乾燥手段３８として、被印刷物経路の平面Ｅ０２において協働位置において観察したときに被印刷物搬送方向に対して横に、すなわち横方向において互いにずらされて、特に離隔している複数の有効領域ａｊ（ｊ＝｛１，２・・・ｎ｝，ｎ∈Ｎ≧２）、たとえば複数の乾燥領域ａｊ（ｊ＝｛１，２・・・ｎ｝，ｎ∈Ｎ≧２）へ、各有効幅ｂｊ上に、たとえば乾燥幅ｂｊまたはトラック幅ｂｊ上において乾燥媒体、たとえば放射を印加できる複数のＩ個の乾燥要素３８ｋ（ｋ＝｛１，２・・・Ｉ｝，Ｉ∈Ｎ≧２）を備えており、かつ／または被印刷物搬送方向に対して横において互いにずらされて配置されている複数の乾燥要素３８ｋを備えている。
【００６６】
乾燥要素３８ｋの各有効範囲ないしは乾燥範囲ａｊが横方向において互いに離隔していることにより、乾燥器１４；１６；３６を通過する被印刷物０２には、被印刷物経路を基準として搬送方向に対して横に互いに離隔している複数のトラックｔｉ（ｉ＝｛１，２・・・ｍ｝，ｍ∈Ｎ≧２、ここで有利には、ｉ＝ｊかつｍ＝ｎ）において、切れ目無しで、または有利には、下記にて説明するサイクルＺごとに、ここで示した態様で１回または複数回、タイミング制御下で乾燥媒体が、有利には放射が、特にＵＶ放射が印加される。
【００６７】
「有効幅ｂｊ」とは、横方向における幅であって、当該乾燥要素３８ｋから放出される最大光線束を通る放射プロフィールが、両面における面積あたりの放射出力の観点で、最大値の５０％まで下降する幅をいうものとする。この幅は、無限の勾配のエッジを有する鮮鋭な限界が存在しない場合、対応する有効範囲ａｊの側方の区切りをいうものとする。
【００６８】
乾燥要素３８ｋは有利には、電磁波用、たとえば光用、特にＵＶ光用、すなわち少なくとも主にＵＶスペクトル領域、たとえば１００ｎｍ〜３８０ｎｍの成分の発光放射出力を有する光用の放射源３８ｋとして（ｋ＝｛１，２・・・Ｉ｝，Ｉ∈Ｎ≧２）構成されている。基本的には、乾燥要素３８ｋは他の態様の構成とすることもでき、たとえば、対流および／または高温空気乾燥器として構成された乾燥器１４，１６；３６の、１つまたは複数のノズル口を有する個別吹出要素であって、被印刷物にたとえば流体を、たとえば空気を乾燥媒体として供給できる個別吹出要素として構成することができる。
【００６９】
第１の構成では、各乾燥要素３８ｋは基本的にそれぞれ個別の乾燥手段源３８ｋ，ｉによって、たとえば光源３８ｋ，ｉ、特に放射源３８ｋ，ｉによって、それ自体で、または有利には、互いに対応して設けられた、たとえば共にならびに／もしくは同時にスイッチングする上述の光源または放射源３８ｋ，ｉの群３８ｋによって構成することができる。これらの群３８ｋは、第１の構成では、既に固定的に構成されており、常時全体的にのみスイッチング可能とすることができるが、たとえば群３８ｋとして、たとえば乾燥ヘッドの態様で構成された部品において、横方向に‐有利には電動式で‐移動可能とすることができる（たとえば図６参照）。その際には、乾燥要素３８ｋのいずれか複数または全部を、被印刷物０２に対して定まっている搬送方向に対して横に移動可能とすることができる。
【００７０】
有利な第２の構成では群３８ｋは、互いに異なる複数の製造フローごとに可変に、乾燥手段３８の複数の個別光源または放射源３８ｋ，ｉによって構成することができ、かつ／または構成可能とすることができる。しかし、ここで有利なのは、各群３８ｋに割り当てるべき個別光源または放射源３８ｋ，ｉは、動作時には同一の製造フロー内では、常に同時に、特に共同で作動および非作動化することができ、ないしは作動可能および非作動化可能とすることである（たとえば図７参照）。特に第１の構成と関連して印刷機に有利である一実施形態では、互いに離隔している群３８ｋの隣り合って配置された全ての個別光源または放射源３８ｋ，ｉが同時に、特に共同で作動および非作動化される。少なくとも、乾燥手段３８の第２の多部品構成では、有利には多数の、たとえば少なくとも５０個の光源または放射源３８ｋ，ｉが、互いにずれて配置されている。特に、横方向において見ると長さに対して多数の、たとえば１ｍの長さを基準として少なくとも５０個／ｍ、特に少なくとも７０個／ｍの、横方向において互いにずれた光源または放射源３８ｋ，ｉが設けられる。個別または固定もしくは可変に群にまとめられる光源または放射源３８ｋ，ｉの作動および非作動化は、乾燥器１４；１６；３６に対して設けられた制御装置３７によって行われる。
【００７１】
乾燥要素３８ｋを個別にまたは群で構成する光源または放射源３８ｋ，ｉは、有利には上述の意味のＵＶ光源として、特にＵＶダイオード（略して「ＵＶ‐ＬＥＤ」という）として構成されている。
【００７２】
乾燥手段３８の有利な一発展形態では、乾燥手段３８は、‐構造上１部品または多部品の‐放射源アレイとして、特にＬＥＤアレイとして構成されており、この放射源アレイは、搬送経路すなわち被印刷物移動に沿った方向で見たときに前後に、少なくとも被印刷物最大幅Ｂ０２ｍａｘにわたって延在する複数の行を有し、各行はそれぞれ、多数の放射源３８ｋ，ｉ、特にＵＶ‐ＬＥＤを含む（たとえば図８参照）。これらから構成される群３８ｋは、搬送経路に沿った方向で見たときに前後に配列された複数の放射源３８ｋ，ｉ、特にＵＶ‐ＬＥＤをそれぞれ含む１つまたは複数の長手方向列をそれぞれ隣り合って有する。簡単な構成では、群に該当する放射源３８ｋ，ｉの同時および／または共同のオンオフスイッチングは、当該群３８ｋの全ての放射源３８ｋ，ｉの実際に同時および／または共同のスイッチングとして行うこと、ないしはかかるスイッチングとすることができ、また、当該群３８ｋの前後に配列された放射源３８ｋ，ｉの実際に同時および／または共同のスイッチングとして行うこと、またはかかるスイッチングとすることができる。放射源３８ｋ，ｉを多次元に配列した場合の有利な一構成では、同時および／または共同のスイッチングは、該当する行についての被印刷物０２の通過を基準とする。該当する群に包含される放射源３８ｋ，ｉの「同時および／または共同」のスイッチングは、スイッチングすべき放射源３８ｋ，ｉが行ごとに被印刷物送りとの関係において同時および／または共同でオンオフスイッチングするように行われる。その際には、行は被印刷物進行と同期して順次投入遮断される。
【００７３】
配線接続に係るコストが比較的低い一発展形態は、横方向で見てそれぞれ複数の放射源３８ｋ，ｉ、たとえばＬＥＤ３８ｋ，ｉ、特にＵＶ‐ＬＥＤ３８ｋ，ｉ、または放射源３８ｋ，ｉの複数の長手方向列、特にＬＥＤ３８ｋ，ｉの複数の長手方向列を、同一のスイッチング素子に有効接続することができ、このスイッチング素子を介して当該複数の放射源３８ｋ，ｉは、固定の部分群として全体としてのみオンオフスイッチングすることができ、これらは、共同および／または同時に作動化および非作動化される放射源３８ｋ，ｉの群３８ｋにまとめられる。しかし、横方向における照射の分解能が損なわれることになるが、このことは大抵の用途では許容し得るものである。
【００７４】
たとえば横方向で見たときにスイッチング可能な最小単位は、‐当該最小単位の幅が１つの放射源３８ｋ，ｉのみを含むか、または放射源３８ｋ，ｉの１つの長手方向列を含むか、または複数の個別の放射源３８ｋ，ｉを含むか、または放射源３８ｋ，ｉの複数の長手方向列を含むかにかかわらず‐「放射セグメント」と称することができる。
【００７５】
基本的に、乾燥要素３８ｋと制御装置３７とを備えた乾燥装置は、横方向における当該乾燥要素３８ｋの固定的な配置であって、場合によっては乾燥器の位置合わせのためにのみ側方に位置調整可能な配置で構成することができ、かつ／または全有効幅ｂＡにわたって一続きで延在する有効範囲Ａを構成する、もしくは構成可能である、１部品もしくは多部品の乾燥手段３８を用いて構成することができる。
【００７６】
しかし、乾燥要素３８ｋと制御装置３７とを備えた乾燥装置は有利には、‐少なくとも１つの動作状況下においては‐乾燥要素３８ｋのうち１つまたは複数によって、乾燥を生じさせるないしは少なくとも支援する照射を、横方向で見て複数の互いに離隔された区間幅、たとえばトラックｔｉに施すことができ、照射された区間幅ないしはトラックｔｉが、未照射の区間ないしはトラックによって途切れるように構成されている。照射される各区間幅ないしは各トラックｔｉは、１つの乾燥範囲ａｊまたは複数の隣り合った乾燥範囲ａｊによって構成することができる。このようにして、照射区間ないしは照射トラックｔｉと未照射区間ないしは未照射トラックｔｉとを含む、横方向において変化する照射分布プロフィールは、たとえば、移動可能な乾燥要素３８ｋを適切に離隔して位置決めすることにより、かつ／または有利には乾燥要素３８ｋを局所的に作動させることにより、達成され得る。その際には上述のように、乾燥要素３８ｋを放射源３８ｋとすることができ、または、固定的に設定された複数の個別放射源３８ｋ，ｉの群３８ｋ、もしくは有利には製造に依存して可変に規定できる個別放射源３８ｋ，ｉの群３８ｋとすることができる。
【００７７】
有利には、乾燥要素３８ｋが移動可能である第１の構成において、作動状態ないしは作動可能な乾燥要素３８ｋの位置、および／または乾燥要素３８ｋによって照射される各区間幅の間の距離‐有利には、距離０までもしくはごく僅かな重なり合いまで‐が、印刷製品に関する特性に応じて変化し得るように、乾燥要素３８ｋのいずれか複数または全部を移動させることができる。こうするためには、乾燥要素３８ｋを手動で、または電動式で、横方向において移動可能とすることができ、かつ／または移動させることができる。より高度に自動化された構成では、制御装置３７を介して乾燥要素３８ｋを自動的に横方向において位置決めすることができ、ないしは位置決めする。
【００７８】
第２の構成における印刷製品に関する上述のコンフィギュレーション、ここでは制御装置３７を介しての乾燥要素３８ｋの選択および／またはセレクトおよび／または位置決めは、‐たとえば操作インタフェース５５にいるオペレータによって‐手動で入力もしくは選択された、または製造計画もしくは検査から得られた製品に関するデータＰ、たとえば被印刷物０２上における利用部分の数および／または大きさおよび／または側方の位置に基づいて、行うことができる。こうするためには、乾燥要素３８ｋの位置決めおよび／または構成に関して製造を特徴付ける上述のデータＰを、適切に処理された情報Ｉ（Ｐ）の形態で制御装置３７へ供給し、この情報Ｉ（Ｐ）は制御装置３７において、たとえばそのために構成された制御手段４８において、たとえば演算および／またはデータ処理手段４８において処理されて、各位置決めに関連する信号が得られる。データＰないしは情報Ｉ（Ｐ）は、操作インタフェース５５でオペレータによって準備されたデータから、または製造計画からインポートされたデータからまたは検査システムに由来するデータから、または並行して検査システムへ供給されたデータから、以下詳細に説明する態様で得ることができる。その後、位置決めに関連する信号を、たとえば、位置決めのための１つまたは複数の駆動装置へ供給することができる。常に全部の乾燥要素３８ｋが必要とされるわけではない場合、作動すべき乾燥要素３８ｋを介して、光源または放射源３８ｋ，ｉの駆動制御に際して、印刷製品に関する特性から得られた情報Ｉ（Ｇ（ｋ））を考慮することができる。こうするためにはたとえば、当該製造のために、これによって定まる群３８ｋないしは乾燥要素３８ｋの選択Ｇ（ｋ）のみが起動できるように接続され、かつ／または起動される。
【００７９】
印刷製品に基づいて光源または放射源３８ｋ，ｉから構成すべきないしは構成された群３８ｋとなっている乾燥要素３８ｋを備えている乾燥手段３８の第２の構成では、照射される区間幅の位置ならびに／もしくは大きさ、および／または乾燥要素３８ｋによって照射される各区間幅の間の距離を変化させることができる。こうするためにはたとえば、幅ｂ３８にわたって配置された全部の光源または放射源３８ｋ，ｉのうち、製品に関する特性に応じて、作動されるまたは作動状態の光源または放射源３８ｋ，ｉと、その間に挟まれた、作動されないないしは非作動状態の光源または放射源３８ｋ，ｉとの特定の群３８ｋを構成する。これには、光源または放射源３８ｋ，ｉのより小さい群を、製品に関する特性に応じて複数の包括的な群３８ｋにまとめる構成も含まれることとする。
【００８０】
第２の構成における乾燥装置の、印刷製品に関するコンフィギュレーション、ここでは露光ないしはエネルギー印加すべき区間の決定、具体的には、作動すべき群３８ｋを構成するための、作動すべきないしは作動される光源または放射源３８ｋ，ｉの選択ないしは規定は、本構成でも、‐たとえば操作インタフェース５５でオペレータにより‐手動で行うことができ、たとえば手動で選択することができ、または手動で入力もしくは選択されたデータに基づいてコンピュータ支援により行うことができる。その例については、以下にて詳細に説明する。
【００８１】
これと共に、またはこれに代えて、上述の決定を、製造に関するデータＰに基づいて行うこともできる。この製造に関するデータＰないしは情報Ｉ（Ｐ）は、操作インタフェース５５でオペレータによって準備されたデータから、または製造計画からインポートされたデータから、または検査システムに由来するデータから、または並行して検査システムへ供給されたデータから、以下詳細に説明する態様で得ることができる。製造計画または検査システムから得られたデータＰは、たとえばデータインタフェース５９を介して制御装置へ供給され、このデータＰは、製品に関する特性、たとえば被印刷物０２上の利用部分の数および／または大きさおよび／または位置等を含む。より高度に自動化された一構成では、かかるデータは‐たとえばデータインタフェースを介して‐製品に関する特性に関連する情報Ｉ（Ｐ）の形態で制御装置３７へ供給され、当該データはこの制御装置３７において、たとえば適切に構成された制御手段４８によって、たとえば演算および／またはデータ処理手段４８によって、当該製造のために構成すべき、作動可能ないしは作動すべき光源または放射源３８ｋ，ｉの群３８ｋを構成するために使用される。よって、光源または放射源３８ｋ，ｉの部分集合から構成された、作動すべき群３８ｋないしは乾燥要素３８ｋを介して、光源または放射源３８ｋ，ｉの駆動制御に際して、印刷製品に関する特性から得られた情報Ｉ（Ｇ（ｘ））を考慮することができる。こうするためにはたとえば、当該製造のために、これによって定まる光源または放射源３８ｋ，ｉの選択Ｇ（ｘ）のみを起動することができる。
【００８２】
乾燥要素３８ｋの選択的な作動、ないしは群３８ｋにまとめられた光源または放射源３８ｋ，ｉの選択的な作動自体は、たとえば、当該乾燥要素３８ｋないしは光源または放射源３８ｋ，ｉをスイッチングする乾燥器制御部４９において、当該選択に応じて実行される。この乾燥器制御部４９は場合によっては、空間的に乾燥器１４；１６；３６に共に包含されている。以下に示す、搬送方向（たとえば図中では、方向ｙによって示されている）において接続が変化し、かつ／またはタイミング制御される事例では、長さおよび／または位置が変化し、またはタイミング制御される作動および非作動化がそれぞれ、選択され場合によっては製品に関して位置決めされた、かつ／または作動すべき光源または放射源３８ｋ，ｉの群３８ｋにまとめられた乾燥要素３８ｋについてのみ行われるように、製品に関連する選択、ないしは当該選択および／または群３８ｋの構成に関する情報Ｉ（Ｇ（ｋ）；Ｉ（Ｇ（ｘ））は、これに関する重畳の基礎にもなり得る。
【００８３】
たとえば、乾燥手段３８の第１の構成の場合、たとえば印刷されないストリップによって途切れた印刷領域４４の印刷列５２の、横方向に延在する第１のプロフィールおよび／または第１の被印刷物幅もしくは印刷領域幅Ｂ０２；Ｂ４４を伴う第１の動作状況（たとえば図９ａ）では、乾燥要素３８ｋの第１の選択および／または位置決めを起動可能とし、ないしは起動することができ、被印刷物幅および／または印刷領域幅Ｂ０２；Ｂ４４および／またはプロフィールが第１の動作状況とは異なる第２の動作状況（たとえば図９ｂ）では、上述の選択および／または位置決めの際に第１の動作状況とは異なる乾燥要素３８ｋを起動可能とし、ないしは起動することができる。
【００８４】
第２の構成の場合には、たとえば印刷されない列によって途切れた印刷領域４４の印刷列５２の、横方向に延在する第１のプロフィールおよび／または第１の被印刷物幅Ｂ０２を伴う第１の動作状況（たとえば図１０ａ）では、群３８ｋにまとめられた光源または放射源３８ｋ，ｉの第１の選択を起動可能とし、ないしは起動することができ、被印刷物幅Ｂ０２および／またはプロフィールが第１の動作状況とは異なる第２の動作状況（たとえば図１０ｂ）では、上述の選択の際に第１の動作状況とは異なる光源または放射源３８ｋ，ｉを起動可能とし、ないしは起動することができる。
【００８５】
「印刷列５２」とはここでは、搬送方向に延在する印刷ストリップであって、当該印刷ストリップの両側が、印刷アセンブリ０３ないしは該当する印刷ユニット１９；２３において印刷されない、搬送方向に延在するストリップによって区切られている印刷ストリップをいうものとする。この印刷されないストリップのストリップ幅はたとえば、各画素またはインキ点の寸法を超える幅、たとえば５ｍｍ超、特に１０ｍｍ超の幅を有する。しかし、たとえば上述の印刷されない少なくとも５ｍｍの狭幅のストリップによって途切れた、印刷されるストリップは、断続的ではあるが、上述の意義においてはより大きな印刷列５２にまとめられたものとすること、ないしはまとめることができる。
【００８６】
ここで有利な一構成では、位置決めされた、かつ／もしくは作動対象に選択された乾燥要素３８ｋ、または光源もしくは放射源３８ｋ，ｉの群３８ｋは、横方向において互いに離隔しており、特に、少なくとも３つ以上のかかる乾燥要素３８ｋまたは群３８ｋは、略等間隔もしくは実質的に等間隔に離隔して隣り合って配置されており、かつ／または配置可能となっている。
【００８７】
よって有利な一実施形態では、乾燥器１４；１６；３６および制御装置３７を備えた乾燥装置は、放射源３８ｋ，ｉの一部のみを局所的に、搬送方向に対して横に互いに略等距離で、具体的には平均距離から最大２０％の偏差で等間隔に離隔された、放射源３８ｋ，ｉの複数の群３８ｋ、特に少なくとも４つの事前定義可能な群３８ｋで、所定のシーケンスで同時および／または共同でオンオフスイッチングするように構成されている。有利な発展形態では乾燥装置は、１サイクルＺごとに放射源３８ｋ，ｉの一部のみを局所的に、搬送方向に対して横に互いに上述のような等間隔で離隔された、放射源３８ｋ，ｉの複数の、特に少なくとも４つの事前定義可能な群３８ｋで、互いに等間隔に離隔した、同一の第１の期間長の複数および／または少なくとも３つの作動期間ＰＡＮを含むシーケンスで、同時および／または共同でオンオフスイッチングするように構成されている。このサイクルＺについては、以下詳細に示す。
【００８８】
有利には、群３８ｋは互いに実質的に等間隔に、具体的には平均距離から最大１０％の偏差で等間隔に離隔している。たとえば、オンオフスイッチングすべき各群３８ｋ間の距離は、最大で、群３８ｋの定義時において搬送方向に対して横方向で見たときの最小可能ステップ幅の２倍だけ相違する。これは具体的には、上記のマルチトラックまたは有利にはシングルトラックのＬＥＤ列の幅の、横方向における最小可能なスイッチング可能単位である。
【００８９】
特に有利なのは、作動すべき乾燥要素３８ｋまたは群３８ｋのコンフィギュレーション、具体的には位置決めおよび／または選択は、上述の製品に関するデータＰないしは情報Ｉ（Ｐ）に基づいて行われることである。このことはとりわけ、製品に関する情報Ｉ（Ｐ）に包含される宣言であって、少なくとも３つ、有利には少なくとも４つの、横方向において互いに特に等間隔に離隔して被印刷物０２上に印刷されたまたは印刷される印刷画像要素５６、とりわけ同一の印刷画像要素５６の数および位置を特定することができ、かつ／または特定する宣言に基づいて行われる。この宣言を適用し、かつ乾燥器１４；１６；３６の作用場所における被印刷物０２と当該乾燥器１４；１６；３６との相対位置を考慮して、乾燥要素３８ｋの位置決めないしは群３８ｋの構成を実行し、ないしは適宜行う。
【００９０】
画像要素５６の数および横方向における分布に関する宣言は、基本的に任意の態様で得ることができ、情報Ｉ（Ｐ）に入れて入手可能とすること、または提供することができる。たとえばこの宣言は、基本的に、全幅および全長の印刷画像に関する画像データから、たとえば、プリプレス段階にて存在する、印刷画像全体に関する印刷パターンについてのデータから、その解析によって得ることができ、ないしは、かかる解析によって得られたものとすることができるが、このことは高コストとなり、その上、その都度自ずと定まる露光領域の数が多くなることにより、エラーを生じやすくもなり得る。
【００９１】
しかし、特に有利な一解決手段では、位置決めおよび／または選択のために用いられる上述の宣言は、横方向において隣り合って互いに離隔されて被印刷物０２上に施されるまたは施された１部分または多部分の画像要素５６、たとえば個別または群で有利には互いに等間隔に離隔して被印刷物０２上に施されるまたは施された画像要素５６の数ｎｘについての宣言、および／または位置ならびに／もしくは大きさについての宣言から生成される。ここで、ｎｘ∈Ｎ≧３、有利には≧４、有利には≧６である。画像要素５６はたとえば、少なくとも同一または実質的に同一の幅、具体的には最大±２ｍｍの誤差で同一の幅、および／または完全同一の印刷パターンないしはモチーフを有する。たとえば番号印刷の場合には、画像要素５６として、実質的に等しい寸法の番号フィールドを繰り返すことができ、または画像要素５６をスクリーン印刷で施す場合には、同一のモチーフを横方向においてｎｘ回繰り返すことができる。その後、乾燥要素３８ｋまたは群３８ｋは、非印刷領域によって途切れた画像要素５６のこのパターンに従って配置され、かつ／または配置可能となる。画像要素５６の幅がそれぞれ、該当する乾燥要素３８ｋまたは群３８ｋの有効幅ｂＡに完全に包含されるように、乾燥要素３８ｋまたは群３８ｋを配置することができ、かつ／またはそのような幅とすることができる。これに代わる一態様または他の動作状況では、特に被印刷物経路上において乾燥器１６に対して配置され、またはこれに前置されている、外観を調整する調整装置１７を併用する場合、たとえば、画像要素５６の幅の所定の一部のみが、該当する乾燥要素３８ｋないしは群３８ｋの有効幅ｂＡに包含され、かつ／または当該有効幅ｂＡによって当該所定の一部のみに照射されるように、乾燥要素３８ｋまたは群３８ｋを配置し、ないしはそのような幅にする。
【００９２】
上述の有利な実施形態は、印刷アセンブリ０３によって施された印刷画像が印刷画像幅ないしは印刷領域幅Ｂ４４において複数の利用部分５７、たとえば数ＮＸの利用部分５７が隣り合ったもの、および／または印刷画像全長ないしは印刷領域全長Ｌ４４において複数の利用部分５７、たとえば数ＮＹの利用部分５７を前後に配列したものを有する、印刷機の動作態様および／または構成であって、当該利用部分５７が、少なくとも各利用部分５７における位置および／または印刷パターン全体が相違しない画像要素５６または画像要素群を有する動作態様および／または構成との併用において、特に有利である。ここで、ＮＸ∈Ｎ≧３，特に≧４、有利には≧６であり、ＮＹ∈Ｎ≧３、特に≧５である。利用部分５７ごとに、１つまたは複数の上述の画像要素５６または画像要素群を設けることができる。
【００９３】
放射源３８の制御の基礎となるシーケンスは、有利には、画像付与の印刷画像要素５６または当該印刷画像要素５６の群の、印刷画像長において周方向に前後に並んだ行の数ｎｘに相当する数の、同一の第１の期間長の作動期間ＰＡＮと、当該作動期間ＰＡＮを互いに等間隔にそれぞれ離隔する、第１の期間長より格段に長い期間長の非作動期間ＰＡＢとを含む。非作動期間ＰＡＢの期間長は具体的には、第１の期間長の少なくとも２倍である。搬送方向において利用部分５７ごとに離隔されている複数の画像要素、たとえば２つのかかる画像要素の場合、利用部分５７の数Ｎｙにちょうど相当する数であって、それぞれ複数の画像要素５６をカバーする数の、同一の第１の期間長の作動期間ＰＡＮを、等間隔に設けることができる。より細かい分解能では、等間隔に離隔した数Ｎｙの期間ＰＡＮをそれぞれ含む複数の列、たとえば２つのかかる列を、互いにシフトして設けることができる。
【００９４】
隣り合って配置される画像要素５６は、搬送方向で見てそれぞれ上述の印刷列５２に包含することができる。その際には、搬送方向においてたとえば、複数のかかる画像要素５６または画像要素群を、たとえば数ｎＹの画像要素５６または画像要素群を、互いに離隔して配置することができる（たとえば図１７ａ参照）。ここで、ｎＹ∈Ｎ≧２である。
【００９５】
「利用部分５７」とはここでは、一印刷区間の印刷画像全体のうち、大きさおよび構造が複数回‐かつ有利には、規則的な配列で‐繰り返される部分であって、‐少なくとも被印刷物０２を長手方向および／または横方向に切断した後‐たとえば中間顧客または最終顧客が単独で使用できる製品単位となる部分をいう。ここでたとえば有利な証券印刷では、各利用部分５７は、印刷領域４４に印刷画像が印刷された被印刷物０２上に、たとえば各銀行券または各証券に相当する複数の部分印刷画像によって構成され、これらの部分印刷画像は後続の処理経路上にて、‐場合によってはポストプレス処理後、たとえば再印刷および／またはエンボス加工および／またはコーティング後に‐切断によって初めて、各銀行券に分離される。
【００９６】
基本的には、乾燥器１４；１６；３６の上掲の、選択可能および／または位置決め可能および／または構成可能な乾燥要素３８ｋないしは群を備えた構成に依存しないが、有利にはかかる構成と併用して、乾燥手段３８、特に光源または放射源３８ｋ，ｉをスイッチングする乾燥器制御部４９は、たとえば制御装置３７に包含される制御手段５１に信号伝送接続されている。この制御手段５１は、１部分または多部分の乾燥手段３８を全体として、または有利には、選択ならびに／もしくは構成された群３８ｋとして、上記にて既に示した態様で、機械位相および／または被印刷物位相との関係において、具体的にはたとえば機械位相の位置および／または動きとの関係において、特に、印刷位置０６；０７に関する位相との関係において、および／または印刷機における被印刷物０２の進行の位置ならびに／もしくは進行との関係において、特にこれと同期ないしはタイミング制御して作動および非作動化し、ないしは、制御手段５１によって当該乾燥手段の全部または一部が作動可能および非作動化可能となり、ないしは作動および非作動化される。とりわけ関係付け、特に使用される乾燥要素３８ｋないしは群の各スイッチング状態ＳＺ：ＳＺＡＮ；ＳＺＡＢの関係付けは、作動と非作動化とから成る繰り返しのシーケンスの長さおよび／または位置に鑑みて、具体的には、作動状態「ＯＮ」たとえばスイッチオン状態「ＯＮ」に該当する少なくとも１つの期間ＰＡＮと非作動状態「ＯＦＦ」たとえばスイッチオフ状態「ＯＦＦ」に該当する少なくとも１つの期間ＰＡＢとを含む、１サイクル長ＬＺに及ぶオンオフスイッチングシーケンスに鑑みてなされる。機械位相は、印刷位置０６；０７の胴１８；２１；２２の間接的もしくは直接的に導出された角度位置、または適正な位置合わせで回転すべき他の機械要素の間接的もしくは直接的に導出された角度位置から形成することができる。被印刷物０２の進行に関連するパラメータは、被印刷物０２を適正な位置合わせで搬送する機械要素の角度位置信号、または搬送路上に設けられたセンサ系の通過信号によって形成することができる。
【００９７】
サイクル長ＬＺは有利には、２つの連続する印刷区間の間の繰り返し長、具体的には２つの連続する印刷長の前端部間の最短可能距離によって定まる。観察すべき物理量によっては、サイクル長ＬＺは、空間的に２つの場所ｙ間の距離もしくは角度φを基準とすることができ、または時間的に２つの時点ｔ間の時間長を基準とすることもできる。幾何学的条件と搬送速度プロフィールとを考慮して、これらの量を互いに換算することができ、たとえば機械位相に対する相対位置に関するものとすることができる。サイクル長ＬＺは、搬送路に沿った方向で見たときに印刷に使用可能な最大区間ＵＤの長さＬＤ、たとえば周面区間ＵＤと、かかる２つの区間ＵＤ間の、印刷に使用できない区間ＵＮの長さＬＮとの和に相当する。後者は、枚葉印刷の場合には特にシート搬送用の手段により制約され得るものであり、ロール印刷の場合には特に、張られた刷版の端部間の接触部または列に起因して生じる切れ目により制約され得るものである。対向圧および／または搬送胴２１がある場合には、サイクル長ＬＺはたとえば全体的に、印刷に使用可能な周面区間ＵＤの長さＬＤと、印刷に使用できない周面区間ＵＮの長さＬＮおよび／またはｎ倍の大きさないしはｎ個のサドルを有する対向圧および／または搬送胴２１の周のｎ番目の部分との和に相当する。
【００９８】
サイクル長ＬＺないしはそのオンオフシーケンスは、乾燥手段３８ないしは乾燥要素３８ｋが作動される少なくとも１つの期間ＰＡＮと、乾燥手段３８ないしは乾燥要素３８ｋが非作動化される少なくとも１つの期間ＰＡＢとを含むオンオフスイッチングシーケンスを有する。ここでも、用語「期間ＰＡＮ；ＰＡＮ」とは、空間的な量、またはこれと相当の関係にある時間的な量に関するものとなり得る。このようにサイクル基準のシーケンスは、１つの作動期間ＰＡＮと非作動期間ＰＡＢとのみを有することが可能であり、または発展形態では、それぞれ非作動期間ＰＡＢによって途切れた複数の作動期間ＰＡＮも含むことができる。非作動期間ＰＡＢの長さは、たとえば少なくとも、開口２８の幅ないしは通過時間に、機能区間が存在する場合には機能区間の長さないしは通過時間を加算したものに相当する。これはたとえば、後行側の溝エッジに前置された距離ａｓによって、かつ／またはカバー要素２９が存在する場合にはカバー要素２９の上述の重なりの長さによって得られる。
【００９９】
よって、乾燥装置は乾燥器１４，１６；３６の他、たとえば幅ｂ３８にわたって一続きの乾燥手段３８、または複数の個別乾燥要素３８ｋの形態の乾燥手段３８を、印刷機の機械位相および／または被印刷物０２の進行に対して上述の関係において全体的または一部についてオンオフ可能とし、ないしはオンオフスイッチングするための制御手段５１を有する制御装置３７も備えている。とりわけ、制御手段５１を有する制御装置３７によって、乾燥手段３８、ないしは乾燥要素３８ｋの少なくとも１つが、作動期間ＰＡＮの長さに相当する時間にわたって作動状態ないしはオン状態「ＯＮ」と、非作動期間ＰＡＢの長さに相当する時間にわたって非作動状態ないしはオフ状態「ＯＦＦ」とに交互に切り替えることができる。その際には、たとえば乾燥器制御部４９に包含される、乾燥手段３８ないしは乾燥要素３８ｋをスイッチングするスイッチング手段によって、作動状態ないしはオン状態「ＯＮ」を生じさせる相応のスイッチング状態ＳＺＡＮと、非作動状態ないしはオフ状態「ＯＦＦ」を生じさせる相応のスイッチング状態ＳＺＡＢとに交互に切り替える（たとえば、図１１に概略的に示されているので参照のこと）。
【０１００】
データ処理ならびに／もしくは制御手段４８；５１および／または乾燥器制御部４９を備えた制御装置３７は、連関しているもしくは分散型の制御回路３７によって、または連関しているもしくは分散型の、互いに信号技術により接続されたデータ処理手段３７によって構成することができる。これは、オンオフスイッチングシーケンスと機械位相および／または被印刷物進行との上掲の同期を行うためのスイッチングおよび／またはデータ処理手段を備えている。制御装置３７の全部または一部は、印刷機の他の調整ならびに／もしくは駆動手段に制御技術的に接続された機械制御部に組み込むことができ、または制御装置３７の全部もしくは一部を、乾燥器１４，１６；３６の制御用に専用に設けることもできる。
【０１０１】
サイクル長ＬＺを基準とするシーケンスと機械位相および／または被印刷物進行との上述の同期ないしは関係付けは、たとえば、印刷機の機械位相および／または被印刷物０２の進行を表すタイミングジェネレータ４２であって、乾燥器制御部に対してたとえばマスタ４２として機能するタイミングジェネレータ４２から、信号接続部３５を介して制御装置３７へ、機械位相および／または被印刷物進行を表す信号ＳＫ、たとえばトリガ信号ＳＫを送信することによってなされる。これはたとえば、印刷機の該当の機械位相ならびに／もしくは被印刷物０２の進行を検出するセンサ系４２によって、かつ／または胴２１の間接的もしくは直接的な駆動装置を制御する駆動装置制御部の制御軸４２によって、実現することができる。これは、再調整に特に適した一構成では、印刷機に既に設けられている、適正な位置合わせで駆動すべき部品に対して設けられたセンサ系４２、たとえばフィーダドラムに対して設けられたセンサ系４２とすることができる。搬送および／または印刷に関する複数の部品または部品群が、機械的に互いに依存しない駆動モータ４１によって１つの共用の電子的制御軸によって回転駆動される機械の場合、乾燥器制御部に対してマスタ４２として機能する制御軸信号発生器４２は、印刷機の他の複数の駆動モータに対してマスタとして機能する電子的制御軸４２によって構成されたものとすることができ、ないしはこれによって構成することができる。この制御軸４２は、実際の電子的制御軸４２として実角度信号の回転運動に従うことができ、または仮想的な制御軸としてデータ処理手段によって生成し、結合された全てのシーケンス駆動装置に対して設定することができる。信号接続部３５は本構成では、電子的制御軸４２との結合によって形成され、たとえばバスシステムまたはネットワークシステムとして構成される。
【０１０２】
しかし、乾燥手段３８の乾燥要素３８ｋのタイミング制御は、有利にはリアルタイムで行う必要があるので、有利な一実施形態では、有利にはセンサ系４２として構成されたタイミングジェネレータ４２と制御装置３７との間の信号接続部３５は、‐バスシステムまたはネットワークとは異なる‐アナログ伝送路接続部によって実現されており、かつ／またはトリガ信号Ｓｋはいわゆる「高速トリガ」として、たとえばハードウェア信号によって、制御装置３７へ、ないしは信号を処理するプロセスへ伝送されるが、タイミング制御されるネットワークもしくはバスシステムを介して、または信号を処理し、かつ／もしくは通過させるＳＰＳを介しては、伝送されない。
【０１０３】
‐以下説明する態様のうちいずれか１つにおける乾燥器制御部の構成ないしはこれに関連する動作に応じて‐１つまたは複数のオンオフスイッチング過程を含むシーケンスの関係付けは、制御手段５１に実装された制御ロジックによってなされる。これはたとえば、機械的な開閉装置、純粋に電子的な制御回路、ソフトウェアルーティン、またはこれらの組み合わせによって構成することができる。その際には、シーケンスの反復実行が、特に機械位相および／または被印刷物進行を表す信号ＳＫとの関係において、特にこれと同期して行われる。シーケンスの実行時には、１サイクル長ＬＺ内で、動作に関連するスイッチング波形による１つまたは複数の作動期間ＰＡＮの位置および持続時間と、１つまたは複数の非作動期間ＰＡＢの位置および持続時間とが考慮される。こうするため、特に有利な一構成では、制御手段５１は電子カムスイッチング機構を備えており、その仮想的な運動は機械位相および／または被印刷物進行に同期しており、ないしは同期され、電子カムスイッチング機構の推移は、上述の１つまたは複数の作動期間ＰＡＮおよび非作動期間ＰＡＢを再現する。
【０１０４】
作動すべき乾燥要素３８ｋないしは群３８ｋのうちいずれか複数または全部についての、サイクル長ＬＺを基準とするオンオフスイッチングシーケンスの関係付けは、基本的に、それぞれ制御ロジックを備えた専用の制御手段５１を用いて、または共用の制御手段５１に実装された専用の制御ロジック、たとえば電子カムスイッチング機構で行うことができる。このことは有利には、印刷アセンブリ０３によって施された印刷画像がたとえば、印刷画像幅Ｂ４４全体に及ぶ利用部分を１つだけ含む印刷機の動作態様ならびに／もしくは構成、または印刷アセンブリ０３によって施された印刷画像が、印刷パターンが相違する複数の利用部分を隣り合わせて含む印刷機の動作態様ならびに／もしくは構成と併用すると、有利となり得る。
【０１０５】
上記の意義において複数の乾燥要素３８ｋないしは群３８ｋを備えている乾燥手段３８の場合、サイクル長ＬＺに関連するオンオフスイッチングシーケンスの関係付けは有利には、設けられているかつ／または構成された乾燥要素３８ｋないしは群３８ｋのうちいずれか複数または全部について互いに同期してなされる。当該製造のために作動すべき乾燥要素３８ｋないしは群３８ｋの関係付けは有利には、共通の制御手段５１を介して同一の制御ロジックならびに／もしくは同一のスイッチング波形によって共同で行うことができ、または複数の同期動作する制御ロジックを介して個別にもしくは複数で行うことができる。このような同期接続は有利には、印刷アセンブリ０３によって施された印刷画像が印刷画像幅Ｂ４４において複数の利用部分５７、たとえば数ＮＸの利用部分５７が隣り合ったもの、および／または印刷画像長Ｌ４４において複数の利用部分５７、たとえば数ＮＹの利用部分５７を前後に配列したものを有する、印刷機の動作態様および／または構成であって、当該利用部分５７が、少なくとも各利用部分５７における位置および／または印刷パターン全体が相違しないまたはほとんど相違しない画像要素５６を有する動作態様および／または構成との併用において、有利となり得る。ここでは、たとえばＮＸ∈Ｎ≧２，特にＮＸ∈Ｎ≧３、特に≧４、有利には≧６であり、たとえばＮＹ∈Ｎ≧２、特にＮＹ∈Ｎ≧３、有利には≧５である。
【０１０６】
乾燥装置‐特に、乾燥手段３８および／または乾燥要素３８ｋないしは群３８ｋを印刷機の機械位相および／または被印刷物０２の進行との関係においてオンオフスイッチングする上掲の制御装置３７‐は、オンオフスイッチングの繰り返しの１サイクル内で、乾燥手段３８または１つもしくは複数の乾燥要素３８ｋないしは群３８ｋのオン状態「ＯＮ」に該当する少なくとも１つの期間ＰＡＮの長さおよび／または位置を、製造に関する情報Ｉ（Ｐ）に依存して、たとえば印刷画像または被印刷物サイズＦに関するないしはこれを表す情報Ｉ（Ｆ）；Ｉ（Ｌ４４）；Ｉ（Ｍ）に依存して変化させることができ、かつ／または変化するための制御手段５４を備えている。被印刷物サイズおよび／または印刷画像に関するないしはこれを表す情報Ｉ（Ｆ）；Ｉ（ＬＢ）；Ｉ（Ｍ）はとりわけ、搬送方向で見たときの被印刷物区間の長さＬ０２についての情報Ｉ（Ｆ）；Ｉ（Ｌ４４）；Ｉ（Ｍ）、たとえば被印刷物長Ｌ０２についての情報、または１印刷区間に該当する印刷画像長Ｌ４４についての情報、または印刷ユニット１９；２３によって印刷すべき印刷パターンに関する情報とすることができる。「被印刷物サイズ」ないしは「被印刷物長Ｌ０２」に関する情報Ｉ（Ｆ）は、実際のサイズ幅および／または長さそのものとすることができる。その際に必要な場合、１つまたは複数の印刷不可の縁部領域がある場合、たとえばくわえ爪によって把持される送り側の縁部等がある場合には、これに係る‐たとえば固定的に設定可能な‐余白Δｆ（例として、図１３および図１８中の該当する全ての実施形態について、第１の乾燥要素３８１の推移において例示されている）が、制御部によって考慮される。または、「被印刷物サイズ」ないしは「被印刷物長Ｌ０２」に関する情報Ｉ（Ｆ）は、場合によっては必要な余白を低減する宣言とすることもできる。以下、「被印刷物サイズ」ないしは「被印刷物長Ｌ０２」に関する情報Ｉ（Ｆ）には、実際のサイズ寸法を反映する情報の他、余白によって補正されたサイズ寸法を表す情報も含まれることとする。
【０１０７】
製造に関する情報Ｉ（Ｐ）としての、印刷画像ないしは印刷パターンに関する情報Ｉ（Ｍ）は、画素のラスタについての幾何的宣言とすることができる。その際には、期間ＰＡＮの長さおよび／または位置は上掲のように、機械位相および／または被印刷物位置に対する期間ＰＡＮの相対的な空間的位置もしくは角度位置、またはこれに時間的に対応するものに関するものとなり得る。
【０１０８】
第１の態様では、サイズまたは印刷画像に依存して期間長および／または期間位置を制御するため、マッピング規則において、該当の情報Ｉ（Ｆ）；Ｉ（ＬＤ）；Ｉ（Ｍ）の２つ以上の離散値または数値範囲、１つもしくは複数の作動期間ＰＡＮに係る、対応する数の離散的な期間長ならびに／もしくは期間位置、および／または作動期間ＰＡＮの終了点に係る‐たとえば少なくとも部分的に互いに離隔した‐、対応する数の期間位置を保有しておき、ないしはマッピングすることができる。
【０１０９】
しかし、他の代替的な一態様では、制御手段５４によってマッピング規則を介して、該当の情報Ｉ（Ｆ）；Ｉ（ＬＢ）；Ｉ（Ｍ）の連続的な数値範囲から得られる値に依存して、作動期間ＰＡＮの期間長ならびに／もしくは期間位置の値、または作動期間ＰＡＮの終了点の期間位置の値を、連続的な‐かつたとえば上限および下限が区切られた‐数値範囲から設けておくこと、ないしは生成することができる。ここで「連続」とは、等間隔の離散幅の連続も指すこととする。これはたとえば、観察対象のパラメータにおいて観察すべきかつ／または取り扱われる最小幅に制限されまたは丸められることにより生じるものである。
【０１１０】
制御装置３７によって、上述の関係付けないしは同期に関する信号ＳＫの処理が行われることにより、制御手段５４によって生成された、サイクル長ＬＺを基準とする特定のオンオフスイッチング波形であって、作動状態「ＯＮ」に該当する少なくとも１つの期間ＰＡＮと非作動状態「ＯＦＦ」に該当する少なくとも１つの期間ＰＡＢとを含むオンオフスイッチング波形を考慮して、乾燥手段３８のオンオフスイッチングまたは複数の、特にオンオフスイッチング対象に決定された乾燥要素３８ｋないしは群３８ｋのオンオフスイッチングを制御する信号ＳＴ、たとえばタイミング制御信号ＳＴが生成される。制御手段５４によって生成されたこの波形によって、‐有利には機械位相および／または被印刷物位相と同期する‐サイクル内における、ないしはサイクル長ＬＺ内における作動状態「ＯＮ」に該当する少なくとも１つの期間ＰＡＮの各期間長および／または各期間位置が特定される。製造固有の上述の波形、すなわち少なくとも１つの特定の期間長および／または期間位置取得および出力は、制御手段５４によって、被印刷物サイズおよび／または印刷画像を特徴付け、かつ／またはこれに関する情報Ｉ（Ｆ）；Ｉ（ＬＢ）；Ｉ（Ｍ）に依存して行われる（たとえば図６および図７を参照のこと）。制御装置３７特に制御手段５４に保有されているマッピング規則に基づいて制御装置３７特に制御手段５４によって処理すべき情報Ｉ（Ｆ）；Ｉ（ＬＢ）；Ｉ（Ｍ）は、手動で定義されたまたは自動取得された、被印刷物サイズＦおよび／または印刷画像についての宣言を含み、またはこれに基づく。
【０１１１】
たとえば関係付けられたオンオフスイッチングのために制御装置３７に包含されている制御手段５４であって、サイズおよび／または印刷画像に依存する期間長および／または期間位置を出力する制御手段５４は、１つまたは複数の連関するまたは分散型の回路手段および／またはデータ処理手段によって構成することができる。この回路手段および／またはデータ処理手段は、オン状態「ＯＮ」に該当する期間長および／または期間位置を、サイズおよび／または印刷画像についての得られた上述の情報Ｉ（Ｆ）；Ｉ（ＬＢ）；Ｉ（Ｍ）に依存して算出する回路手段および／またはデータ処理手段を含む。
【０１１２】
制御装置３７に包含される制御手段５４の全部または一部は、‐制御装置３７自体と同様に‐印刷機の他の調整ならびに／もしくは駆動手段に制御技術的に接続された機械制御部、たとえば計画および／または制御レベル４７に属する機械制御部に組み込むことができ、または分散的に、制御対象の乾燥器１４；１６；３６の空間的付近に設けることもできる。
【０１１３】
少なくとも１つの作動期間ＰＡＮの長さおよび／または位置、ないしは１サイクル長ＬＺにわたるスイッチング波形は、制御手段５４に保有されているマッピング規則に基づいて、使用すべき情報Ｉ（Ｆ）；Ｉ（ＬＢ）；Ｉ（Ｍ）に依存して算出および／または出力される。マッピング規則はたとえば、純粋なマッピング規則として表形式で、制御手段５４に備えられている演算および／または記憶手段に保有しておくことができ、または関数関係式として保有しておくこともできる。これには、使用すべき情報Ｉ（Ｆ）；Ｉ（ＬＢ）；Ｉ（Ｍ）に依存して、作動状態「ＯＮ」に該当する１つまたは複数の期間ＰＡＮを含むシーケンスの、特定の長さおよび／または位置を考慮するスイッチング波形を算出および／または作成するための複雑な規則も含まれることとする。
【０１１４】
波形を特定するため、すなわち期間長および／または期間終了点ないしは期間位置を特定するためにマッピング規則の入力側に使用される情報Ｉ（Ｆ）；Ｉ（ＬＢ）；Ｉ（Ｍ）は、たとえば、計画および／または制御レベル４７から信号接続部５３を介して、制御手段５４へ供給することができる。これはたとえば、‐特に、被印刷物サイズＦおよび／または印刷画像に関するないしはこれを表す情報Ｉ（Ｆ）；Ｉ（ＬＢ）の場合‐計画および／または制御レベル４７に属するコントロールセンタから供給することができる。このコントロールセンタでは、たとえば操作インタフェース５５を介して、対応する情報Ｉ（Ｆ）；Ｉ（ＬＢ）自体、またはこの情報Ｉ（Ｆ）；Ｉ（ＬＢ）を得るために処理される宣言を手動で選択または入力できるようになっている。「手動で特定する」とは、適切に構成された操作マスクにおける領域の選択、またはキーを介しての選択と、入力および選択の組み合わせも指すこととする。
【０１１５】
より高度に自動化された一態様では、情報Ｉ（Ｆ）；Ｉ（ＬＢ）ないしはこの情報Ｉ（Ｆ）；Ｉ（ＬＢ）を得るために処理すべき宣言は、計画ならびに／もしくは制御レベル４７またはプリプレス段階において既に存在する、製品および／または製造計画に関する電子的データ、たとえば、被印刷物０２上における利用部分の数および／または大きさおよび／または位置と、印加すべき領域の相対位置とに関するデータから得ることができ、または他の構成では、被印刷シート０２の大きさおよび／または位置についてのデータから得ることができる。
【０１１６】
制御手段５４ないしは乾燥器制御部の構成に係る第１の実施形態では、たとえば図１２において、‐たとえば印刷に使用可能な周面区間ＵＤの長さと印刷に使用できない周面区間ＵＮの長さとに相当する‐サイクル長ＬＺにより概略的に示されているように、たとえば第１の動作状況では、第１のサイズＦ．１すなわち第１の被印刷物長Ｌ０２．１の被印刷物区間０２に印刷することが可能であり、ないしは印刷され、第２の動作状況では第２のサイズＦ．２すなわち第２の被印刷物長Ｌ０２．２の被印刷物区間０２に印刷することが可能であり、ないしは印刷される。各サイズないしは被印刷物長Ｌ０２．１；Ｌ０２．２に依存して、ないしは当該長さを表す情報Ｉ（Ｆ）に依存して、作動期間ＰＡＮの期間長と、場合によっては期間位置とを、または作動期間ＰＡＮの終了点（本実施例ではこれが有利である）を、制御装置３７ないしは制御手段５４によって特定し、かつ／または各被印刷物長Ｌ０２．１；Ｌ０２．２ないしは当該長さを表す情報Ｉ（Ｆ）に依存して、相違する被印刷物長Ｌ０２．１；Ｌ０２．２に対してそれぞれ、各作動期間ＰＡＮの相違する期間長が、または各作動期間ＰＡＮの終了点の相違する期間位置（本実施例ではこれが有利である）が割り当てられている、ないしは割り当てられる各サイクルＺ１；Ｚ２において、乾燥手段３８のオンオフスイッチング、または位置決めならびに／もしくは選択されたないしは構成された乾燥要素３８ｋないしは群３８ｋのオンオフスイッチングが行われる。その際には、各作動期間ＰＡＮの開始点の期間位置は同一とし、たとえばサイクル長ＬＺに関連して固定に設定することができるが、場合によっては可変に設定することもできる。その他、本来的に印刷可能な領域の上述の余白、たとえば進行側の端部の余白も考慮することができる。後者は、図１２ａ）およびｂ）の概略図では、考慮されないままになっている。
【０１１７】
上記にて示した、搬送方向に対して横に互いに離隔している複数のトラックｔｉで各乾燥要素３８ｋないしは群３８ｋによって被印刷物０２にエネルギー供給する実施形態では、該当する乾燥要素３８ｋないしは群３８ｋは有利には、１サイクルあたり同時および／または共同で各１回オンオフスイッチングされる（図１３参照）。サイクルＺを基礎とするシーケンスの期間推移、具体的にはここでは、作動期間ＰＡＮと非作動期間ＰＡＢとの間の分布は、ここでは上述のようにサイズに依存する。
【０１１８】
サイズ基準でのタイミング制御を対象とする第１の構成の場合において、印刷サイズＦないしはその長さに関する宣言は、有利な一解決手段では、当該製造のための製品計画または検査において存在する上述の電子的データから、またはたとえばコントロールセンタにおけるかかる宣言の手動入力ならびに／もしくは選択によって生成される。手動で選択または入力されたサイズＦについてのデータは、当該目的のために直接、または他の目的のために既に事前に入力されてその後インポートされるものとすることができる。
【０１１９】
場合によっては第１の実施形態に代えて代替的または選択的に実施可能な第２の実施形態では、たとえば図１４において‐たとえば印刷に使用可能な周面区間ＵＤの長さと印刷に使用できない周面区間ＵＮの長さとに相当する‐サイクル長ＬＺにより概略的に示されているように、作動期間ＰＡＮの期間長または少なくとも作動期間ＰＡＮの終了点は、制御装置３７ないしは制御手段５４によって、各印刷画像長Ｌ４４ないしは当該長さを表す情報Ｉ（Ｌ４４）に依存して特定される。「印刷画像長Ｌ４４」は、ここではたとえば、進行側が印刷位置０６；０７によって印刷長において最初に施されるインキ付着によって区切られる長さであって、後行側が印刷位置０６；０７によって印刷長において最後に施されるインキ付着によって区切られる長さを指すものとする。その間の印刷領域４４は、連続的または非連続的に印刷パターンを有することができる。印刷画像長Ｌ４４が相違する動作状況では、各印刷画像長Ｌ４４ないしは当該長さを表す情報Ｉ（Ｌ４４）に依存して、相違する印刷画像長Ｌ４４に対してそれぞれ、各作動期間ＰＡＮの相違する期間長が、または各作動期間ＰＡＮの終了点の相違する期間位置が割り当てられている、ないしは割り当てられる各サイクルにおいて、乾燥手段３８のオンオフスイッチング、または位置決めならびに／もしくは選択されたないしは構成された乾燥要素３８ｋないしは群３８ｋのオンオフスイッチングが行われる。その際には、各作動期間ＰＡＮの開始点の期間位置は同一とし、たとえば固定に設定することができるが、場合によっては可変に設定することもできる。
【０１２０】
上記にて示した、搬送方向に対して横に互いに離隔している複数のトラックｔｉで各乾燥要素３８ｋないしは群３８ｋによって被印刷物０２にエネルギー供給する実施形態では、該当する乾燥要素３８ｋないしは群３８ｋは有利には、１サイクルあたり同時および／または共同で各１回オンオフスイッチングされる（図１５参照）。サイクルＺを基礎とするシーケンスの期間推移、具体的にはここでは、作動期間ＰＡＮと非作動期間ＰＡＢとの間の分布は、ここでは上述のように印刷長に依存する。
【０１２１】
印刷画像長Ｌ４４に関する宣言は、印刷画像長基準のタイミング制御を対象とする第２の実施形態の場合、基本的にはプリプレス段階の上述の画像データに基づいて得られたものとし、ないしはこれに基づいて得ることができるが、この宣言は、より低コストであるため有利である一解決手段では、製品計画において存在するデータから、または手動入力ならびに／もしくは選択により生成される。
【０１２２】
場合によっては第１および／または第２の実施形態に代えて代替的または選択的に実施可能な第３の実施形態では、たとえば図１６において‐たとえば印刷に使用可能な周面区間ＵＤの長さと印刷に使用できない周面区間ＵＮの長さとに相当する‐サイクル長ＬＺにより概略的に示されているように、１サイクル長ＬＺあたり複数の作動期間ＰＡＮと複数の非作動期間ＰＡＢとを設けることができる。たとえば、印刷画像長Ｌ４４において作動期間ＰＡＮは互いに等間隔に離隔している。各作動期間ＰＡＮの開始点および終了点は制御装置３７ないしは制御手段５４によって、搬送方向で見たときの、印刷されないストリップにより途切れた印刷領域４４の印刷ストリップ４６の期間位置を表す情報Ｉ（Ｍ）に依存して、特定される。印刷されるストリップと印刷されないストリップとのパターンが相違する動作状況では、個別の、印刷ストリップ４６の各分布ないしは当該分布を表す情報Ｉ（Ｍ）に依存して、印刷ストリップ４６の分布が相違する印刷領域４４に対してそれぞれ、各作動期間ＰＡＮの期間位置および／または期間長の相違するパターンが、すなわち各作動期間ＰＡＮの各開始点および／または各終了点の位置の相違するパターンが割り当てられている、ないしは割り当てられる各サイクルにおいて、乾燥手段３８の複数回のオンオフスイッチング、または選択されたないしは構成された乾燥要素３８ｋないしは群３８ｋの複数回のオンオフスイッチングが行われる。
【０１２３】
乾燥装置をコンフィギュレーションするためには、印刷画像長基準でのタイミング制御を対象とする第２の構成の印刷画像長Ｌ４４についての印刷画像に関する情報Ｉ（Ｌ４４）、または印刷ストリップ基準でのタイミング制御を対象とする第３の構成の印刷ストリップ４６の数ならびに／もしくは位置についての情報Ｉ（Ｍ）、ないしはこれらの情報Ｉ（Ｌ４４）；Ｉ（Ｍ）の基礎である宣言はたとえば、当該製造のための製品計画または検査において存在する上述の電子的データから、またはコントロールセンタにおけるかかる宣言の手動入力ならびに／もしくはたとえば選択によって生成されたものとすることができる。手動で選択または入力されたサイズＦについてのデータは、当該目的のために直接、または他の目的のために既に事前に入力されてその後インポートされるものとすることができる。
【０１２４】
基本的に、上述の情報Ｉ（Ｌ４４）；Ｉ（Ｍ）の基礎である宣言は、印刷位置０６；０７によって印刷される印刷画像の解析によって、特にたとえばプリプレス段階においてデータとして存在する印刷パターンの解析、つまり刷版３１；３２の製版のために使用されたデータ自体から、または当該データから解析によって得られたデータから得られるデータおよび／または宣言に基づくこともできる。こうするためには、できる。
【０１２５】
第３の構成の場合、‐基礎となるデータの出力形式に依存せずに、たとえばより狭幅の印刷されないストリップによって途切れている、印刷される細かい複数のストリップを、その非連続性にかかわらず、より大きな印刷ストリップ４６にまとめたものとすることができ、ないしはまとめることができる。
【０１２６】
印刷ストリップ基準のタイミング制御を対象とする第３の構成の場合、スイッチング波形の生成、具体的にはサイクルに関する期間長および／または期間位置の特定は、有利には、被印刷物０２上に互いに離隔して印刷された、または計画通りに印刷すべき複数の印刷画像要素５６の、搬送方向において印刷画像長Ｌ４４にわたって延在するパターンを記述する宣言ないしは当該宣言を含む情報Ｉ（Ｍ）に基づいて、行われる。これはたとえば、搬送方向において互いに特に等間隔に離隔して被印刷物０２上に印刷されたまたは印刷される３つ以上の印刷画像要素５６、とりわけ同一の印刷画像要素５６の数および位置を特定することができ、かつ／または特定する宣言である。製造動作中には、かかる宣言を適用して、かつ機械位相ないしは被印刷物位相と各サイクルとの上述の同期を考慮して、波形に従ってタイミング制御下で、乾燥手段３８によって、ないしは上述のように位置決めおよび／または選択された乾燥要素３８ｋないしは構成された群３８ｋによって、搬送されて通過する被印刷物０２に乾燥媒体が、特に放射が印加される。
【０１２７】
画像要素５６の数および搬送方向における分布に関するこの宣言は、基本的に全て、上述のプリプレス段階のデータに基づいて得られたものとすることができ、ないしは得ることができるが、有利には、搬送方向において前後に配列してかつ互いに‐有利には等間隔に‐離隔して被印刷物０２上に計画通りに施されるべき、または施された複数の、たとえば数ｎＹの画像要素５６のうち１つの画像要素５６または部分集合の位置および大きさについての宣言と、その数ｎＸについての宣言とから生成される。ここで、ｎＹ∈Ｎ≧３である。当該１つの画像要素５６または画像要素５６の部分集合に関する、その位置および／または大きさについての宣言は、製品計画もしくは検査のデータから直接生成されたものとすることができ、かつ／または直接生成することができ、または手動入力によって生成されたものとすることもでき、かつ／または生成することもできる。複数の画像要素５６のうち少なくとも１つの画像要素５６の上述の位置および／または広がりと、他の画像要素５６の位置を推定するための宣言とから、乾燥手段３８または位置決めならびに／もしくは選択された乾燥要素３８ｋないしは構成された群３８ｋの複数回のオンオフスイッチングのサイクル基準の波形が、適切に構成されたルーティンによって生成される。
【０１２８】
画像要素５６はたとえば、搬送方向において少なくとも同一または実質的に同一の長さ、具体的には±２ｍｍで同一の長さを有し、かつ／または既に上記で述べた態様で、たとえば完全同一の印刷パターンないしはモチーフを有する。その際には乾燥要素３８ｋまたは群３８ｋは、搬送方向における画像要素５６のこのパターンに従い、１サイクル中に、非作動期間ＰＡＢによって途切れた複数の作動期間ＰＡＮで作動され、ないしは作動可能となる。
【０１２９】
特に有利な一実施形態では、乾燥器１４；１６；３６および制御装置３７を備えた乾燥装置は、繰り返しの１サイクルＺごとに、複数のかつ／または少なくとも３つの互いに等間隔に離隔した同一の第１の期間長の作動期間ＰＡＮを含むシーケンスに従い、全ての放射源３８ｋ，ｉを、または有利には一部の放射源３８ｋ，ｉのみを局所的に、同時および／または共同でオンオフスイッチングするように構成されている。有利な一発展形態では、上述の一部の放射源３８ｋ，ｉは、搬送方向に対して横に互いに略等距離で、具体的には平均距離から最大２０％の偏差で等間隔に離隔された、放射源３８ｋ，ｉの少なくとも４つの事前定義可能な群３８ｋで、同時および／または共同でオンオフスイッチングシーケンスされる。
【０１３０】
以下説明するタイミング制御のコンフィギュレーションに係る有利な一解決手段では、これは、搬送方向において前後に、かつ‐個別または群で、有利には等間隔で‐互いに離隔されて被印刷物０２上に施されるまたは施された１部分または多部分の画像要素５６の数ｎｙについての宣言、および／または位置ならびに／もしくは大きさについての宣言を用いて生成される。ここで、ｎｙ∈Ｎ≧３、とりわけ≧５である。
【０１３１】
特に有利な一実施形態では、乾燥器１４；１６；３６および制御装置３７を備えた乾燥装置は、繰り返しの１サイクルＺごとに、複数のかつ／または少なくとも３つの互いに等間隔に離隔した同一の第１の期間長の作動期間ＰＡＮを含むシーケンスに従い、全ての放射源３８ｋ，ｉを、または有利には一部の放射源３８ｋ，ｉのみを局所的に、同時および／または共同でオンオフスイッチングするように構成されている。有利な一発展形態では、上述の一部の放射源３８ｋ，ｉは、搬送方向に対して横に互いに略等距離で、具体的には平均距離から最大２０％の偏差で等間隔に離隔された、放射源３８ｋ，ｉの少なくとも４つの事前定義可能な群３８ｋで、同時および／または共同でオンオフスイッチングシーケンスされる。
【０１３２】
上述の有利な実施形態は、印刷アセンブリ０３によって施された印刷画像が少なくとも印刷画像長Ｌ４４において複数の利用部分５７、たとえば数ＮＹの利用部分５７を搬送方向において同一の位置合わせで前後に配列したものを有する、印刷機の動作態様および／または構成であって、当該利用部分５７が、少なくとも各利用部分５７における位置および／または寸法および／または印刷パターン全体が相違しない画像要素５６を有する印刷機の動作態様および／または構成との併用において、特に有利である。ここで、ＮＹ∈Ｎ≧３である。
【０１３３】
搬送方向において前後に配列されたｎＹ個の画像要素５６は、たとえば上述の印刷列５２に包含されており、横方向においてはたとえば、それぞれ数ｎＸのこの画像要素５６を互いに離隔して配置することができる（たとえば図１３ａを参照のこと）。
【０１３４】
上記において「期間長」ないしは「期間位置」またはその省略形である「長さ」ないしは「位置」との用語は、認識できるように区別されない場合、空間的観点における当該期間の大きさないしは位置‐たとえば場所または角度‐と解することができ、また、時間的にこれに対応する、同期された１サイクル長ＬＺ内における時間的相対位置ないしは時間長としてのものと解することもできる。この空間的次元と時間的次元とは、速度推移を介して互いに直接的な関係にある。その点については、図１０〜図１２において、横軸に例として場所、時間および角度を示している。各期間切替の時点、ひいては期間長および期間位置は、たとえば機械位相および／または被印刷物位相に対して相対的に特定される。
【０１３５】
既に述べたように上記の乾燥装置は、作動状態「ＯＮ」では乾燥手段３８が、ないしは位置決めおよび／または選択されたないしは群構成により構成された乾燥要素３８ｋが被印刷物経路に向けられるように、被印刷物経路上において少なくとも第１の印刷位置０６；０７より下流に配置されている。特に有利な第１の構成では、乾燥器３６は、被印刷物経路上において前後に配列された２つの印刷位置０６；０７間に中間乾燥器３６として設けられている。
【０１３６】
印刷機の特に有利な他の一構成では、乾燥器１４は被印刷物経路上において、印刷インキの外観を‐たとえば印刷インキに含まれる粒子の配向によって‐調整する上述の調整装置１７の領域またはこれより下流に設けられている。その際にはたとえば、調整を引き起こす手段５８の領域の搬送路に、たとえば、磁化された材料または磁性材料を含む回転体５８であって、たとえば被印刷物０２を搬送する回転体５８の表面、たとえば磁化シリンダ５８の表面に、乾燥器１４を向けることができる。
【０１３７】
ロータリスクリーン印刷機として構成された証券印刷機を例に説明した上述の思想を一般化すると、明らかに抵触する事項が無い場合、証券印刷機は基本的には、フラットスクリーン印刷方式または文字セットで動作する印刷ユニット、ないしは、フラットスクリーン印刷方式または文字セットで動作する方法にも適用することができる。ここで「被印刷物０２」との文言は、他の基材、たとえば面状物の他、成形体および／または中空体も指すことができる。乾燥手段３８のオンオフスイッチング、または全ての、選択されたかつ／もしくは構成された乾燥要素３８ｋのオンオフスイッチングは、ここでも、被印刷物サイズおよび／または印刷画像に関する情報Ｉ（Ｆ）；Ｉ（Ｌ４４）；Ｉ（Ｍ）に依存して、たとえば非印刷版胴区間において不所望のインキ通過を回避するため、当該サイズないしは印刷画像に依存して変化する期間長および／または期間位置で行うことができる。
【０１３８】
しかし、上記にて述べた、乾燥器１４，１６；３６を備えた乾燥装置およびこれに対応する制御装置３７の構成および／または動作は、スクリーン印刷方式または上記の文字セット方式で動作する印刷アセンブリ０３；０３’を備えた印刷機に、特に証券印刷機に限定されることはなく、場合によっては、スクリーン印刷方式とは異なる印刷方式で動作する印刷機、特に証券印刷機に拡張することもできる。しかし、これは有利には、印刷アセンブリ０３によって少なくとも被印刷物０２の搬送方向で見て印刷長上にて、たとえば規則的な間隔をおいて、該当の印刷ユニット１９；１９’；２３；２３’ないしは印刷アセンブリ０３では印刷されない領域を挟んで離隔している複数の単独の画像要素５６の印刷パターンが施され、ないしは施され得る印刷機である。かかる構成の、かつ／またはかかる動作を行う印刷アセンブリ０３；０３’の刷版３１；３２は、‐搬送方向および／または周方向で見たときの‐長さ上にて、たとえば規則的な間隔をおいて、該当の印刷ユニット１９；１９’；２３；２３’ないしは印刷アセンブリ０３では印刷される複数の単独の画像要素５６の主題であって、非印刷領域によって離隔している主題を有する。
【０１３９】
上述の乾燥装置の適用に特に有利である他の代替的な一構成の印刷機、特に証券印刷機では（たとえば図１ｃ）、印刷アセンブリ０３’’の少なくとも１つの印刷ユニット１９’’は、被印刷物経路上に配置された、オフセット方式で動作する第１の印刷ユニット１９’’（略して「オフセット印刷ユニット１９’’」という）として構成されており、かつ第２の印刷ユニット２３’’も、オフセット方式で動作する印刷ユニット２３’’（略して「オフセット印刷ユニット２３’’」という）として構成されており、乾燥手段３８は、当該第１および第２の印刷ユニット１９’’；２３’’によって形成された印刷位置０６’’；０７’’間の被印刷物経路上に配置されている。被印刷物と協働する胴は、たとえばステンシル胴または版シリンダとして構成された版胴１８’’；２２’’から印刷インキを受け取る転写胴として構成されている。特に有利な実施形態では、第１の印刷ユニット１９’’は、転写胴が少なくとも１つもしくは有利には２つの版胴１８’’と協働する間接印刷ユニット１９’’として構成されており、かつ／または第２の印刷ユニット２３’’は、転写胴が複数特に少なくとも４つの版胴２２’’と協働する間接印刷ユニット２３’’として構成されている。第２の印刷位置０７’は有利には、被印刷物経路の両面に上述の第２の印刷ユニット２３’’を設けた２重印刷位置０７’’として構成されている。これらは自己の転写胴の領域において協働し、両転写胴は交互に対向圧胴として機能する。両第２の印刷ユニット２３’’はたとえば、両面同時多色印刷用の２重印刷ユニットを構成する。たとえば第１の印刷位置０６’において施された印刷パターンは、第２の印刷位置０７’において再度印刷される前に、上述のように印刷画像および／またはサイズに依存して乾燥装置によって乾燥され、または少なくとも表面乾燥されることができる。
【０１４０】
よって本構成では、証券印刷機は被印刷物経路上に少なくとも１つの第１の印刷位置０６’’を備えており、当該第１の印刷位置０６’’において、当該第１の印刷位置０６’’を通過する被印刷物０２に区間ごとに、すなわち各ウェブ区間または特に連続する各被印刷シート０２上に、両面のうち少なくとも第１の面に、当該印刷位置０６’’における被印刷物送りに対して固定のサイクル長ＬＺのサイクルＺで、所定の印刷画像幅Ｂ４４と、当該サイクル長ＬＺより短い印刷画像長Ｌ４４との印刷画像を印刷することができ、当該証券印刷機はさらに、下流において次の第２の印刷位置０７’’を備えており、当該第２の印刷位置０７’’において、当該印刷位置０７’’を通過する被印刷物０２の面のうち少なくとも第２の面に、同様に印刷画像を印刷することができる。これらの区間は、ウェブ状の被印刷物０２の区間とされ、またはここで有利には被印刷シート０２とされている。
【０１４１】
基本的には、第１の面の印刷と、下流における第２の面の印刷とは、任意の印刷方式および／または型式の印刷ユニット１９’’；２３’’によって順次行うことができる。しかし有利なのは、第１の印刷位置０６’’においてオフセット印刷方式および／またはヘリオグラフ印刷方式で被印刷物０２に印刷できるようにすることである。その後有利には、第２の印刷位置０７’’において当該被印刷物０２の少なくとも第２の面に、しかし有利には両面に、印刷ユニット２３’’によって間接印刷方式および／または同時多色方式で印刷できるようにする。第２の印刷位置０７’’では、被印刷物０２の有利には両面に、オフセット印刷方式および／またはヘリオグラフ印刷方式で印刷できるようにする。
【０１４２】
乾燥装置は、上述の１部品または多部品の乾燥手段３８を有する乾燥器１４；１６；３６を備えており、かつ当該乾燥装置は、第１の印刷位置０６’’と第２の印刷位置０７’’との間の被印刷物経路上および／または第２の印刷位置０７’に後続する被印刷物経路上に配置されている。この乾燥器によって、搬送路上にて当該乾燥器１４；１６；３６を通過する被印刷物０２を乾燥させるため、当該被印刷物０２に放射を印加することができる。有利には、乾燥器１４；１６；３６の乾燥手段３８は上述のように、少なくとも被印刷物最大幅Ｂ０２ｍａｘに及ぶ、多数の、具体的には当該被印刷物最大幅Ｂ０２ｍａｘにおいて１ｍあたり少なくとも５０個の数および／または長さにおいて１ｍあたり少なくとも５０個の数、有利には少なくとも７０個の、隣り合って配列された放射源３８ｋ，ｉの配列体、特にＵＶ‐ＬＥＤの配列体によって構成されている。
【０１４３】
有利な一実施形態では、乾燥器１４；１６；３６の乾燥手段３８の作動および非作動化を制御する制御装置３７は、機械位相および／または被印刷物進行を表す信号ＳＫを出力する信号発生器４２に信号伝送接続されており、制御装置３７はサイクルＺごとに、機械位相および／または被印刷物位相との関係において、少なくとも１つの作動期間ＰＡＮと少なくとも１つの非作動期間ＰＡＢとを含むシーケンスに従い、乾燥手段３８または少なくとも一部の乾燥手段３８のオンオフスイッチングをさせる。サイクルＺごとに、１サイクルＺあたり少なくとも１つの作動期間ＰＡＮと１つの非作動期間ＰＡＢとで、有利にはちょうど１つの作動期間ＰＡＮと１つの非作動期間ＰＡＢとで、放射源３８または少なくとも一部の放射源３８のオンオフスイッチング、特にちょうど１つのオンオフスイッチングを行う（たとえば図１２および図１８を参照のこと）。
【０１４４】
被印刷物０２には有利には、搬送方向に対して横方向で見てトラックで、特に１つのトラックで印加され、このトラックの幅は被印刷物幅Ｂ０２に依存して選択され、かつ／または当該幅と実質的に一致し、具体的にはたとえば、一側辺あたり最大＋１／−１０ｍｍの最大誤差で、特に＋０／−５ｍｍの誤差で一致する（たとえば図１８を参照のこと）。このトラックの幅は、被印刷物幅Ｂ０２に依存して調整され得る。
【０１４５】
印刷機、特に証券印刷機、および／または乾燥装置の上記の全ての構成および実施態様では、シーケンスに従ってオンスイッチングされた放射源３８ｋ，ｉないしは群３８ｋの作動状態において出力される放射出力Φは、機械送り速度または被印刷物送り速度Ｖ（略して「速度Ｖ」という）を表すパラメータに依存して変化し得る。こうするためには、機械送り速度または被印刷物送り速度Ｖを表す尺度と放射出力を表す尺度との適切な関係式Φ（Ｖ）を、たとえば表形式で、または連続関数もしくは局所的に定義された関数の形式で保有しておき、この関係式Φ（Ｖ）により定義された依存関係を変換するアルゴリズムを設ける。その際に有利なのは、出力が機械送り速度または被印刷物送り速度Ｖと共に階段状にまたは連続的に増加していくことである。出力と機械送り速度または被印刷物送り速度Ｖとの依存関係は基本的に、制御システムに固定的に記憶しておくことができる。実速度Ｖに関する情報Ｉ（Ｖ）は、たとえば機械制御部から、または速度Ｖを表す尺度を出力する信号発生器から、制御装置３８へ供給することができる。
【０１４６】
しかし有利には、操作インタフェース５５を介して依存関係の推移を変化できるようにする（たとえば図１９参照）。手動での操作は基本的に、操作インタフェース５５に備えられた１つまたは複数の操作要素６１；６２；６３を介して、非常に種々の態様で実現することができる。たとえば、コントロールセンタ等に設けられたキーボード５５のキー６１，６２，６３と、場合によっては表示フィールド６４とを介して、操作を行うことができる。
【０１４７】
以上および以下において「操作要素」とは、‐明示的に別段の記載がない限り‐オペレータによる操作に適した全ての種類の要素、たとえばボタン、キー、スイッチ、入力フィールド、ディスプレイカーソルもしくはマウスポインタの制御手段、および場合によっては制御ならびに／もしくはコンフィギュレーションすべきシステムとのインタラクションのために適した他の要素等をいう。
【０１４８】
ここで有利な一構成では、操作インタフェース５５は、必要な駆動部を備えた接触感知式ディスプレイ５５として、たとえばいわゆるタッチスクリーン５５もしくはいわゆるタッチパネル５５として構成されており、または少なくとも１つのかかる接触感知式ディスプレイ５５を備えている。上述の関係式のパラメータ表現に関する上掲の操作要素６１；６２；６３または少なくともその一部は、たとえば、設定タスクに関するプログラミングを有する、そのために構成された操作面６６の接触感知フィールド６１；６２；６３、ここでは具体的には、放射出力を表す尺度と機械送り速度または被印刷物送り速度Ｖを表す尺度との間の関係の推移を操作するための接触感知フィールド６１；６２；６３として、たとえば入力マスク６６またはディスプレイマスク６６の接触感知フィールド６１；６２；６３として構成されている。本事例では、機械送り速度または被印刷物送り速度Ｖに関する尺度の互いに離隔した標本点に、放射出力に関する尺度の値を割り当てることにより、上述の依存関係が得られる。変化すべき標本点はたとえば、当該標本点に対応するフィールド６３を介して起動することができ、プラスキーとマイナスキーとを表すフィールド６１；６３を介して標本点の値を変化させることができる。しかし、基本的にはこれに代えて、値を調整するために接触感知式のテンキーブロックを設けることもできる。たとえば同様にディスプレイマスク６６に表示される表示フィールド６４を介して、たとえば関係の実推移を可視化することができる。
【０１４９】
制御装置３７によって考慮すべき依存関係は、たとえば既存または他の信号接続部を介して当該制御装置３７へ供給され、乾燥器１４，１６；３６の制御に際して制御装置３７によって、同様に供給された機械送り速度または被印刷物送り速度Ｖに関するデータに基づいて変換される。
【０１５０】
上記の複数の箇所において既に記載したように、作動すべき放射源３８ｋ，ｉの群３８ｋないしは乾燥要素３８ｋの位置決めおよび／または選択の観点および／またはサイクルＺないしはシーケンスに基づく期間推移の観点での乾燥装置のコンフィギュレーションは、第１の有利な構成では、操作インタフェースを介して手動で提供されたデータに基づいて行うことができ、これに代わる他の有利な構成では、製品計画または印刷機において既に存在するデータであって、製造すべき印刷製品ないしは印刷中間製品を特徴付けるデータを適用して行うことができる。
【０１５１】
特定の製造に対して乾燥装置のコンフィギュレーションを行うための装置の第１の構成では、信号技術によって制御装置３７に接続された操作インタフェース５５であって、オペレータによって横方向におけるコンフィギュレーションを行うことができる操作インタフェース５５が設けられている。とりわけこの操作インタフェース５５では、搬送方向に対して横方向に互いに離隔された、作動すべき乾燥要素３８ｋないしは群３８ｋの数ならびに／もしくは側方の位置ならびに／もしくは幅、および／または乾燥要素３８ｋないしは群３８ｋによって印加されるトラックｔｉの数ならびに／もしくは側方の位置ならびに／もしくは幅、および／または該当の製造時に被印刷物０２上に隣り合って印刷される利用部分の数ならびに／もしくは側方の位置ならびに／もしくは幅を規定することができ、かつ／または変化させることができる。こうするために操作インタフェース５５は、信号技術により制御装置３７に接続された、とりわけ有効接続された操作要素７１；７２；７３；７４；７６；７７；７８を備えており、これらの操作要素７１；７２；７３；７４；７６；７７；７８の操作によって、パラメータについての宣言、たとえば特に、必要な群３８ｋならびに／もしくは必要なトラックｔｉの数ならびに／もしくは側方の位置ならびに／もしくは幅、および／または被印刷物０２上に隣り合って設けられる利用部分５７の数ならびに／もしくは側方の位置ならびに／もしくは幅等のパラメータについての宣言を、手動で規定することができ、かつ／または変化させることができる。かかる宣言には、対応する具体的なパラメータを得るためにさらに処理すべきである、ないしは処理される宣言も含むこととする。
【０１５２】
操作要素６７は、英数字キーボードとして構成された操作フィールドのキー６７とすることができ、このキー６７を介して、群３８ｋならびに／もしくはトラックｔｉの数ならびに／もしくは側方の位置ならびに／もしくは幅についての宣言、および／または被印刷物０２上に隣り合って設けられる利用部分５７の数ならびに／もしくは側方の位置ならびに／もしくは幅についての宣言を入力することができ、たとえば確定することができる。これに代えて、またはこれと共に、プラスキーならびにマイナスキーおよび／または左キーもしくは右キーとして働く操作要素６８；６９として設けることもでき、これらのキーの操作により、固定的に割り当てられた、または事前選択可能なパラメータの値ないしは位置、たとえば、群３８ｋならびに／もしくはトラックｔｉの数ならびに／もしくは位置、および／または利用部分数、および／または群３８ｋならびに／もしくはトラックｔｉならびに／もしくは利用部分５７ならびに／もしくは被印刷物０２の幅等の値ないしは位置を変化させることができる。最後に、上述の実施態様に代えて、またはこれらのうち１つもしくは複数と共に、選択手段として構成された操作要素（ここでは明示的には示されていない）を設けることもでき、この操作要素の操作により、群３８ｋおよび／またはトラックｔｉの数ならびに／もしくは側方の位置ならびに／もしくは幅についての宣言を、事前定義された値であって、たとえばリスト表示された値から選択することができる。
【０１５３】
横方向におけるコンフィギュレーションを行うための上述の実施態様では、変化または調整すべきパラメータの選択および／または調整に使用される操作要素７１；７２；７３；７４；７６；７７；７８であって、当該操作要素７１；７２；７３；７４；７６；７７；７８の操作により、たとえば上述の操作要素６７；６８；６９を介して設定すべきパラメータを選択することができる操作要素７１；７２；７３；７４；７６；７７；７８を設けることができる。かかる操作要素７１；７２；７３；７４；７６；７７；７８を介して、たとえば、隣り合って設けられた群３８ｋもしくはトラックｔｉもしくは利用部分５７の数、および／または群３８ｋもしくはトラックｔｉもしくは利用部分５７ならびに／もしくは被印刷物０２の側方の位置、および／または群３８ｋもしくはトラックｔｉもしくは利用部分５７の幅、および／または利用部分５７に対する群３８ｋもしくはトラックｔｉの側方の相対位置、および／または被印刷物０２の幅に関するパラメータを選択することができ、かつ／またはたとえば設定することができる。作動すべき群３８ｋまたはトラックｔｉの側方の位置の場合、宣言は基本的に被印刷物０２の位置を基準とすることができるが、有利には、対応する操作要素７７；７８を介して、１つの利用部分５７の位置に対して相対的に、ないしは複数の利用部分５７を含む１列に対して相対的に行う。
【０１５４】
上述の特定の製造に対して乾燥装置のコンフィギュレーションを行うための装置の第１の構成の有利な発展形態では、上記の操作インタフェース５５、または信号技術によって制御装置３７に接続された他の操作インタフェース５５において、オペレータにより、長手方向すなわち被印刷物搬送方向における乾燥装置のコンフィギュレーション、特にその動作挙動のコンフィギュレーションを行うことができる。とりわけ当該操作インタフェース５５において、印加のシーケンスをコンフィギュレーションすることができ、ないしは、各サイクルＺにおける作動期間ＰＡＮの数ならびに／もしくは期間長ならびに／もしくは期間位置、および／または被印刷物０２上において前後に設けられる利用部分５７の数ならびに／もしくは期間長ならびに／もしくは期間位置を規定し、かつ／または変化させることができる。こうするためには操作インタフェースは、信号技術により制御装置３７に接続された操作要素８１；８２；８３を備えており、これらの操作要素の操作によって、パラメータについての宣言、たとえば特に、各サイクルＺにおける１つもしくは複数の作動期間ＰＡＮの数ならびに／もしくは位置ならびに／もしくは長さ、および／または被印刷物０２上に前後に設けられる利用部分５７の数ならびに／もしくは位置ならびに／もしくは長さ等のパラメータについての宣言を、手動で規定することができ、かつ／または変化させることができる。かかる宣言には、対応する具体的なパラメータを得るためにさらに処理すべきである、ないしは処理される宣言も含むこととする。
【０１５５】
英数字キーボードとして構成された上述または他の操作フィールドのキーとして構成された他の操作要素６７であって、作動期間ＰＡＮの数ならびに／もしくは位置ならびに／もしくは長さについての宣言、および／または被印刷物０２上に前後に設けられる利用部分５７の数ならびに／もしくは位置ならびに／もしくは長さについての宣言を入力するための他の操作要素６７を設けることができる。これに代えて、またはこれと共に、プラスキーならびにマイナスキーおよび／または左キーもしくは右キーとして働く上記または他の操作要素６８；６９であって、当該キーの操作により、固定的に割り当てられた、または事前選択可能なパラメータの値ないしは位置、具体的には、作動期間ＰＡＮの数ならびに／もしくは位置ならびに／もしくは長さ、および／または被印刷物０２上に前後に設けられる利用部分５７の数ならびに／もしくは位置ならびに／もしくは長さ等の値ないしは位置を変化させることができる上記または他の操作要素６８；６９を設けることもできる。最後に、上述の実施態様に代えて、またはこれらのうち１つもしくは複数と共に、選択手段として構成された操作要素（ここでは明示的には示されていない）を設けることもでき、この操作要素の操作により、作動期間ＰＡＮの数ならびに／もしくは側方の位置ならびに／もしくは幅、および／または被印刷物０２上に前後に設けられる利用部分５７の数ならびに／もしくは側方の位置ならびに／もしくは幅についての宣言を、事前定義された値であって、たとえばリスト表示された値から選択することができる。
【０１５６】
長手方向におけるコンフィギュレーションを行うための上述の実施態様では、選択および／または調整に使用される操作要素８１；８２；８３であって、当該操作要素８１；８２；８３の操作により、たとえば上述の操作要素を介して現時点で設定すべきパラメータを選択できる操作要素８１；８２；８３を設けることができる。かかる操作要素８１；８２；８３を介して、設けられている作動期間ＰＡＮもしくは被印刷物区間ないしはシート０２上に前後に設けられる利用部分５７の数、および／または少なくとも１つの作動期間ＰＡＮもしくは被印刷物区間０２上、特に被印刷シート０２の少なくとも１つの利用部分５７の位置ならびに／もしくは長さを選択することができ、かつ／またはたとえば設定することができる。被印刷物区間ないしは被印刷シート０２上に前後に設けられる複数の作動期間ＰＡＮの数および位置については、その宣言は基本的に、被印刷物０２の位置を基準とすることができる。しかし有利なのは、作動期間ＰＡＮの位置についての宣言を、‐たとえばここでは示されていない操作要素を介して‐利用部分５７の位置に対して、ないしは複数の利用部分５７を隣り合わせて有する利用部分５７の１行に対して相対的に行うことである。
【０１５７】
共用のまたは各操作インタフェース５５の横方向および／または被印刷物搬送方向における乾燥装置のコンフィギュレーション、特にパラメータ表現に関する操作要素７１；７２；７３；７４；７６；７７；７８；８１；８２；８３は、基本的に、たとえばコントロールセンタに設けられたキーボード５５のキーとすることができる。しかし、ここで有利な一構成では、操作インタフェース５５は、必要な駆動部を備えた接触感知式ディスプレイ５５として、たとえばいわゆるタッチスクリーン５５もしくはいわゆるタッチパネル５５として構成されている。乾燥装置の横方向におけるパラメータ表現に関する上記操作要素７１；７２；７３；７４；７６；７７；７８；８１；８２；８３、またはその一部は、たとえば、各設定タスクに関するプログラミングを有する接触感知フィールド７１；７２；７３；７４；７６；７７；７８；８１；８２；８３として構成されており、ここでは具体的にはたとえば、群３８ｋならびに／もしくは必要なトラックｔｉならびに／もしくは被印刷物０２上に隣り合って設けられる利用部分５７の数ならびに／もしくは側方の位置ならびに／もしくは幅に関する宣言を規定し、かつ／もしくは変化するため、または作動期間ＰＡＮならびに／もしくは被印刷物０２上に前後に設けられる利用部分５７の数ならびに／もしくは位置ならびに／もしくは長さについての宣言を規定し、かつ／もしくは変化するために構成されている。操作要素７１；７２；７３；７４；７６；７７；７８；８１；８２；８３については、ハードウェア構成の操作要素７１；７２；７３；７４；７６；７７；７８；８１；８２；８３とソフトウェア構成の操作要素７１；７２；７３；７４；７６；７７；７８；８１；８２；８３との混合構成を設けることも可能である。
【０１５８】
接触感知フィールドとして構成された操作要素７１；７２；７３；７４；７６；７７；７８；８１；８２；８３は基本的に、同一の操作面８４；８５のフィールドとして、たとえば入力マスク８４；８５またはディスプレイマスク８４；８５のフィールドとして設けることができ、または複数の操作面８４；８５；８６上に分散して、たとえば入力マスク８４；８５；８６またはディスプレイマスク８４；８５；８６上に分散して、たとえば、内容的に関連する設定タスクへの属否によってテーマ的にまとめて設けることができる。
【０１５９】
たとえば、１つまたは複数の操作要素７２；７３；８１は乾燥装置のコンフィギュレーションのために必要な宣言、たとえば被印刷物寸法および／または被印刷物位置についての宣言に関するものとし、たとえばさらに、乾燥装置のコンフィギュレーションとは異なる設定タスクまたは制御タスクまたは処理に使用されるもの、ないしは使用すべきものとすることもでき、１つまたは複数の他の入力ないしはディスプレイマスク８６に設けることができる（たとえば図２１参照）。上述の‐たとえば、該当の製造のために上記または他の関係で関連の入力ないしはディスプレイマスク８６にてなされた‐宣言は、乾燥装置のコンフィギュレーションの際に使用される。
【０１６０】
横方向および／または長手方向における乾燥装置のコンフィギュレーションないしはパラメータ表現のための操作要素７１；７２；７３；７４；７６；７７；７８；８１；８２；８３は、‐ハードウェア構成であるかまたはソフトウェア構成であるかにかかわらず‐信号技術により、‐離隔された複数の群３８ｋの乾燥器および／または上記ないしは当該群３８ｋをサイクルＺごとに少なくとも１回オンオフスイッチングする‐制御装置３７に、特にその上述の制御手段４８に、間接的または直接的に有効接続されている。該当のパラメータについての宣言‐たとえば、群３８ｋおよび／またはトラックｔｉおよび／または隣り合って設けられる利用部分５７の数および／または側方の位置および／または幅についての宣言、ないしは、作動期間ＰＡＮおよび／または被印刷物０２上に前後に設けられた利用部分５７の数および／または位置および／または長さについての宣言‐を、上記の意義における製造に関するデータＰとして、信号接続部を介して制御装置３７ないしは制御手段４８へ直接供給し、ここで処理をするか、または制御装置３７へ‐たとえば概略的に示されているように‐、横方向および／または長手方向におけるコンフィギュレーションに関する情報Ｉ（Ｐ）であって、たとえば、パラメータについての宣言から形成された製造に関するデータＰのコンピュータ支援下での処理によって既に得られた情報Ｉ（Ｐ）を供給する。
【０１６１】
操作インタフェース５５を使用した乾燥装置のコンフィギュレーションの第１の実施例（たとえば図２０参照）では、たとえば多部品構成の乾燥手段３８の第１の構成では乾燥ヘッドの態様で構成された、または多部品構成の乾燥手段３８の第２の構成では群３８ｋとして規定された‐とりわけ固定幅の‐乾燥要素３８ｋまたは群３８ｋの上述の側方の位置決めは、適切に構成された操作要素６７；６８；６９；７１を介して直接行うことができる。たとえば、位置決めすべき群３８ｋを、当該群３８ｋに対して設けられた操作要素７１によって選択し、 左キーまたは右キーとして働く操作要素６８によって、かつ／または英数字キーボードのキーとして構成された操作要素６７によって、側方に位置決め可能とし、かつ／または側方に位置決めすることができる。さらに、動作には必要でない乾燥要素３８ｋは、たとえば適切に構成された操作要素７９を介して選択してからその後に非作動化することにより非作動化することができ、または逆に、当該操作要素７９を適切に逆の構成とすることにより、必要な乾燥要素３８ｋを作動できるようにすることができる。少なくとも部分的に接触感知式である操作インタフェース５５としての構成の場合、位置決めに必要である上述の操作要素は、同一の入力ないしはディスプレイマスク８４に包含することができる。
【０１６２】
簡単な一態様では、搬送方向における乾燥装置のコンフィギュレーションは、被印刷物長Ｌ０２またはこれと関係する量をパラメータとして行うことができる。かかるコンフィギュレーションにより、シーケンスに含まれており、かつ被印刷物長Ｌ０２と対応関係にある作動期間ＰＡＮのサイクルＺを基準とする長さの規定がなされる。たとえばパラメータ被印刷物長Ｌ０２を表す操作要素８１を選択し、その量を、たとえばプラスキーもしくはマイナスキーとして働く操作要素６９によって、かつ／または英数字キーボードのキーとして構成された操作要素６７によって調整ないしは変化させることができる。
【０１６３】
被印刷物長Ｌ０２についての宣言に関する操作要素は、同一または他の入力ないしはディスプレイマスク８４；８６に包含することができる。たとえばキー等として働く操作要素８７によって、複数の異なる入力ないしはディスプレイマスク８４；８６間で双方向に切り替えることができる。
【０１６４】
乾燥装置のコンフィギュレーションは、ここではたとえば、手動で操作される操作要素６７；６８；６９；７１を介して、搬送方向に対して横方向に乾燥要素３８ｋまたは群３８ｋを位置決めすることにより行われる。場合によっては、より多くの操作要素６７；６８；６９；７１の中から、製造のために作動すべき乾燥要素３８ｋまたは群３８ｋを決定することができる。このことは、積極的には、作動すべき乾燥要素３８ｋを選択することによって行うことができ、または消極的には、非作動の乾燥要素３８ｋを選択することによって行うことができる。乾燥要素３８ｋないしは群３８ｋの位置決めはたとえば、設定すべき乾燥要素３８ｋを選択し、その後に英数字キーボードのキーを介して具体的な位置を入力することにより位置決めをすることによって、または一方の側もしくは他方の側へ位置を変えるキー６８によって行われる。
【０１６５】
操作インタフェース５５を使用した乾燥装置のコンフィギュレーションの第２の実施例では（たとえば図２２参照）、乾燥要素３８ｋないしは群３８ｋの構成を、乾燥手段３８ないしは乾燥器１４；１６；３６の第２の構成により行う。横方向におけるこのコンフィギュレーションは、第１の態様では基本的には、たとえば第１の実施例と同様に、全ての乾燥要素３８ｋないしは群３８ｋについて、適切に構成された操作要素６７；６８；６９；７１を介して直接行うことができるが、乾燥要素３８ｋないしは群３８ｋの側方の位置の他、たとえば、図２０には示されていない他の操作要素を介して、当該乾燥要素３８ｋないしは群３８ｋの幅も規定することができる。その後、位置および幅についての設定に従い、隣り合って配置された複数の放射源３８ｋ，ｉの群３８ｋを構成し、この群３８ｋはたとえば上述のように、動作中に同時および／または共同でオンオフスイッチングされる。接触感知式構成の操作インタフェース５５の場合には代替的に、ディスプレイマスクに隣り合って表示された全ての放射源３８ｋ，ｉないしは放射セグメントの中から、個々の放射源３８ｋ，ｉまたは放射セグメントを作動させることにより、群３８ｋを構成することができる。このことはたとえば、比較的低い分解能の場合、具体的には横方向において全体的に放射源３８ｋ，ｉないしは放射セグメントの数が少なく、かつ／または各幅が大きい場合に、適用することができる。
【０１６６】
しかし、とりわけ分解能がより高く、かつ／または設定コストが低い場合には、１つの群３８ｋないしはトラックｔｉの側方の位置および幅、または場合によっては複数の群３８ｋないしはトラックｔｉの側方の位置および幅が、１つの利用部分５７のみを基準として定義され、この１つの利用部分を基準とした定義に基づき、被印刷物０２上に隣り合って配置される利用部分５７の数および位置に関する情報を使用して、必要な全ての群３８ｋないしはトラックｔｉの位置および幅を特定する態様が有利である。被印刷物０２上に隣り合って配置される利用部分５７の数および位置に関する情報は、多岐にわたる態様で設け、または表示することができる。こうするためにはたとえば、被印刷物０２上に側方に隣り合って配置すべき利用部分５７の数Ｎｘおよび幅Ｂ５７についての宣言、またはＮｘ個の利用部分５７を隣り合って有する被印刷物０２の幅Ｂ０２を使用することができる。かかる宣言に対し、たとえば適切に構成された操作要素７４；７６；７２を設けることができる。印加すべき被印刷物０２および／または全体印刷画像が、乾燥器３８の横方向寸法および／または機械中心線Ｍを基準として対称的でない場合には、さらに、たとえば他の操作要素７３を使用して、適切な側方オフセットΔＭについての宣言を設けることもできる。
【０１６７】
作動すべき群３８ｋないしはトラックｔｉの幅および位置の、１つの利用部分５７を基準とする定義は、個々の放射源３８ｋ，ｉないしは放射セグメントの具体的な作動によって行うことができる。接触感知式ディスプレイ５５の場合、かかる定義は、横方向において利用部分５７の写像の実寸の比率通りに表示された放射源３８ｋ，ｉないしは放射セグメントの直接の選択とすることができる。この選択は、接触感知式ディスプレイ５５の場合、タッチによって行うことができる。しかしこれに代えて、利用部分５７を基準とする群３８ｋないしはトラックｔｉの定義を両端部の定義によって、具体的には、当該群３８ｋないしはトラックｔｉを両側で閉じる放射源３８ｋ，ｉないしは放射セグメントの定義によって行うこともできる。このことも、第１の態様では、該当する境界放射源３８ｋ，ｉないしは境界放射セグメントのタッチによって行うことができる。他の態様では、放射源３８ｋ，ｉないしは放射セグメント‐たとえば境界放射源ｅ１；ｅ２ないしは境界放射セグメント‐は、適切に構成された操作要素７７；７８；６７；６８を介して、たとえば規定すべきパラメータに関する操作要素７７；７８を選択することによって、たとえば、構成すべき群３８ｋないしはトラックｔｉの右縁または左縁に関する操作要素７７；７８を選択することにより、かつたとえば英数字キーボードのキーを介して具体的な位置を入力するか、または一方の側または他方の側へ位置を変化するキー６８を用いることにより、その定義を行うことができる。
【０１６８】
乾燥装置のコンフィギュレーションの当該第２の実施例において、簡単な一態様では、搬送方向における乾燥装置のコンフィギュレーションを被印刷物長Ｌ０２のみにおいて、またはこれと関係する量をパラメータとして行うことができる。
【０１６９】
こうするためには、たとえばパラメータ被印刷物長Ｌ０２を表す操作要素８１を選択し、その量を、たとえばプラスキーもしくはマイナスキーとして働く操作要素６９によって、かつ／または英数字キーボードのキーとして構成された操作要素６７によって調整ないしは変化させることができる。上記のように、被印刷物長Ｌ０２についての宣言に関する操作要素は、同一または他の入力ないしはディスプレイマスク８５；８６に包含することができる。
【０１７０】
一発展形態では、搬送方向における乾燥装置のコンフィギュレーションにより、サイクルＺごとに、特に被印刷物長Ｌ０２あたり複数の作動期間ＰＡＮの定義を行えるようにすることができる。たとえば、被印刷物長Ｌ０２上において前後に配列された利用部分５７あたり少なくとも１つの作動期間ＰＡＮが設けられるように、乾燥装置を長手方向においてコンフィギュレーションすることができる。
【０１７１】
長手方向におけるこのコンフィギュレーションは、第１の態様では基本的に、１サイクルＺの全ての作動期間ＰＡＮについて、適切に構成された操作要素６７；６８；６９；７１を介して直接行うことができ、その際には、期間ＰＡＮごとに搬送方向におけるその位置と幅とを、適切な操作要素によって具体的に定義できるようにする必要がある。接触感知式に構成された操作インタフェース５５の場合、期間ＰＡＮの構成の定義は代替的に、ディスプレイマスクに表示された被印刷シート０２の全長のうち個々の長手方向区間を選択または規定することによって行うこともできる。
【０１７２】
しかし、とりわけ設定コストが低い場合には、期間ＰＡＮの幅および搬送方向ないしは長手方向における位置、または場合によっては複数の期間ＰＡＮの幅および搬送方向ないしは長手方向における位置が、１つの利用部分５７のみを基準として定義され、この１つの利用部分５７のみを基準とした定義に基づき、被印刷物０２上に前後に配列される利用部分５７の数および位置に関する情報を使用して、全ての作動期間ＰＡＮの位置および長さを特定する態様が有利である。被印刷物０２上に前後に配列される利用部分５７の数および位置に関する情報は、多岐にわたる態様で設け、または表示することができる。こうするためにはたとえば、被印刷物０２上に前後に配列すべき利用部分５７の数ＮＹおよび長さＬ５７についての宣言、またはＮＹ個の利用部分５７を前後に並べて有する被印刷物０２の長さＬ０２を使用することができる。かかる宣言に対し、たとえば適切に構成された操作要素７４；７６；７２を設けることができる。印加すべき被印刷物０２および／または全体印刷画像が、乾燥手段３８の横方向寸法および／または機械中心線Ｍを基準として対称的でない場合には、さらに、たとえば他の操作要素７３を使用して、適切な側方オフセットΔＭについての宣言を設けることもできる。
【０１７３】
各期間ＰＡＮの長さおよび位置の、１つの利用部分５７を基準とする定義は、基本的に、個々の期間ＰＡＮの具体的な宣言によって行うことができる。接触感知式ディスプレイ５５の場合、かかる定義は、長手方向における利用部分５７の写像の実寸の比率通りに表示されたベルトの区間の直接の選択とすることができる。この定義は、接触感知式ディスプレイ５５の場合、タッチによって行うことができる。しかしこれに代えて、利用部分５７を基準とする期間ＰＡＮの定義を、当該作動期間ＰＡＮの両端部の定義によって行うこともできる。このことも、第１の態様では、上述のベルトの対応する場所をタッチすることによって行うことができる。他の態様では、作動期間ＰＡＮの境界は、適切に構成された操作要素を介して、たとえば、ここでは具体的に示されていない、規定すべきパラメータに関する操作要素を選択することによって、たとえば、規定すべき作動期間ＰＡＮの前端または後端に関する操作要素を選択することにより、かつたとえば英数字キーボードのキーを介して具体的な相対位置を入力するか、または一方の側または他方の側へ位置を変化するキー６８を用いることにより、その定義を行うことができる。
【０１７４】
横方向におけるコンフィギュレーションに関しては、利用部分５７ごとに１つまたは複数の群３８ｋを構成可能とすることができる。たとえば、１つの利用部分５７あたり２つ以上の互いに離隔した画像要素５６または画像要素群を乾燥する必要がある場合において、その距離がたとえば差分を許容する場合、１つの利用部分あたり２つ以上の画像要素５６ないしは画像要素群を乾燥させるため、２つ以上の群３８ｋを規定できるようにすることができる（たとえば図２３ａ参照）。しかし、２つの画像要素５６ないしは画像要素群が互いに近傍にある場合、これらを乾燥させるために１つの群３８ｋのみを規定することが可能である。利用部分５７の側方の両端の領域において画像要素５６ないしは画像要素群を乾燥する必要がある場合には、隣り合った端部の群３８ｋにより、一続きの群３８ｋを得ることができる（たとえば図２３ｂ参照）。
【０１７５】
たとえば上記第２の実施例の一態様である、乾燥装置のコンフィギュレーションの第３の実施例では、第２の実施例における構成すべき乾燥要素３８ｋないしは群３８ｋの数が第３の実施例では一定であり、かつ可変の幅の構成すべき群３８ｋないしはトラックｔｉが１つのみとなり、群３８ｋないしはトラックｔ１の幅が利用部分の数および利用部分の幅に合わせて確定されるのではなく、被印刷物０２の幅Ｂ０２に合わせて確定されるように、第２の実施例にて記載した事項を適用することができる。ディスプレイマスク８５と同様の操作面８８ないしはディスプレイマスク８８（たとえば図２５参照）では、乾燥要素３８ｋないしは群３８ｋの構成は有利には、適切な構成の操作要素６７；６８；６９；７１を介して直接行われ、その際には、乾燥要素３８ｋないしは群３８ｋの幅の他、有利にはその側方の位置も規定できるようにする。その後、位置および幅についての設定に従い、隣り合って配置された複数の放射源３８ｋ，ｉの群３８ｋを構成し、この群３８ｋはたとえば上述のように、動作中に同時および／または共同でオンオフスイッチングされる。接触感知式構成の操作インタフェース５５の場合には代替的に、ディスプレイマスクに隣り合って表示された全ての放射源３８ｋ，ｉないしは放射セグメントから、個々の放射源３８ｋ，ｉまたは放射セグメントを作動させることにより、群３８ｋを構成することができ、または、上記にて１つの群を参照して説明した態様で縁部要素を定義することによって行うこともできる。印加すべき被印刷物０２および／または全体印刷画像が、乾燥器３８の横方向寸法および／または機械中心線Ｍを基準として対称的でない場合には、さらに、たとえば他の操作要素７３を使用して、適切な側方オフセットΔＭについての宣言を設けることもできる。
【０１７６】
乾燥装置のコンフィギュレーションの当該第３の実施例では、搬送方向における乾燥装置のコンフィギュレーションを第２の実施例の第１の態様のように実施することができ、被印刷物長Ｌ０２のみにおいて、またはこれと関係する量をパラメータとして行うことができる。こうするためには、たとえばパラメータ被印刷物長Ｌ０２を表す操作要素８１を選択し、その量を、たとえばプラスキーもしくはマイナスキーとして働く操作要素６９によって、かつ／または英数字キーボードのキーとして構成された操作要素６７によって調整ないしは変化させることができる。上記のように、被印刷物長０２についての宣言に関する操作要素７２；８１；７３は、同一の入力ないしはディスプレイマスクまたは他の入力マスクないしはディスプレイマスク８５；８６；８８に包含することができる。
【０１７７】
第１の構成の第１の実施例および第２の実施例の乾燥装置のコンフィギュレーションの実施態様は有利には、‐たとえば上述のように‐多数の画像付与印刷要素２５；２５’または画像付与印刷要素２５；２５’の多数の群を周面に備えた画像付与胴１８；２２；１８’；２２’を有する印刷機、特に証券印刷機ないしは印刷ユニット１９；２３；１９’；２３’であって、当該画像付与印刷要素２５；２５’または画像付与印刷要素２５；２５’の群が、印刷画像長Ｌ４４に相当する周長上では、搬送方向に対して横に互いに等間隔に離隔した複数の列に、かつ印刷画像幅に相当する胴幅上では、搬送方向において互いに等間隔に離隔した複数の行に配列されている印刷機、特に証券印刷機ないしは印刷ユニット１９；２３；１９’；２３’と併用すると、特に有利である。
【０１７８】
それに対して、第１の構成の第３の実施例の乾燥装置のコンフィギュレーションの上述の実施態様は有利には、‐上記のように‐たとえば面で、被印刷物の第１の面に印刷し、その後に少なくとも第２の面に順次印刷する印刷機、特に証券印刷機ないしは印刷ユニット１９’’；２３’’と併用すると、特に有利である。
【０１７９】
乾燥装置をコンフィギュレーションするための第２の構成では印刷機は、少なくとも１つの印刷ユニットであって、その印刷位置０６；０７；０６’；０７’において、当該印刷位置０６；０７；０６’；０７’における被印刷物送りに対して固定のサイクル長ＬＺのサイクルＺで、当該印刷位置０６；０７を通過する被印刷物０２の区間、特に被印刷シート０２に区間ごとに、印刷画像長Ｌ４４の印刷画像を印刷することができる印刷ユニット１９；２３；１９’；２３’と、被印刷物経路上において印刷位置０６；０７；０６’；０７’より後置された１部品または多部品構成の乾燥手段３８を備えた乾燥器１４；１６；３６を有する乾燥装置であって、当該乾燥器１４；１６；３６によって、当該乾燥器１４；１６；３６を通過する被印刷物０２を乾燥させるため、被印刷物０２の搬送方向に延在する少なくとも１つのトラックｔ１；ｔｉで、当該被印刷物０２に放射を印加することができる乾燥装置と、当該乾燥器１４；１６；３６の動作を制御する制御装置３７との他、被印刷物経路上にさらに、信号技術により当該制御装置３７に接続された画像取得および／または画像解析装置８９を備えており、この画像取得および／または画像解析装置８９によって、上流にて当該被印刷物０２上に施された画像要素５６または画像要素群の位置および／または寸法についてのデータＰを制御装置３７へ供給することができる。データＰを「供給」するとは、ここでは、かかるデータＰを含み、かつ／またはこれに関する情報Ｉ（Ｐ）であって、場合によってはデータＰの処理によって既に得られた情報Ｉ（Ｐ）の供給も含むこととする。
【０１８０】
制御装置３７は有利には、乾燥器１４；１６；３６によって印加すべき少なくとも１つのトラックｔ１；ｔｉの側方の位置および／または幅について、供給されたデータＰを使用して乾燥装置をコンフィギュレーションするように構成された演算および／またはデータ処理手段４８を備えている。
【０１８１】
乾燥器１４；１６；３６の乾燥手段３８は、有利には上述のように、多数の放射源３８ｋ，ｉ、特にＵＶ‐ＬＥＤを備えるように構成されており、その際には、これらの光源または放射源３８ｋ，ｉから該当する群３８ｋを可変に構成できるようにする。
【０１８２】
コンフィギュレーションの本実施態様が特に有利となるのは、印刷機に備えられる印刷ユニット１９；２３；１９’；２３’であって、当該印刷ユニット１９；２３；１９’；２３’の画像付与胴１８；２２；１８’；２２’は、たとえば上述のように、多数の画像付与印刷要素２５；２５’または画像付与印刷要素２５；２５’の多数の群を周面に有し、当該画像付与印刷要素２５；２５’または画像付与印刷要素２５；２５’の群が、印刷画像長Ｌ４４に相当する周長上では、搬送方向に対して横に互いに等間隔に離隔した複数の列に、かつ印刷画像幅に相当する胴幅上では、搬送方向において互いに等間隔に離隔した複数の行に配列されている印刷ユニット１９；２３；１９’；２３’と併用する場合である。
【０１８３】
たとえば上記の印刷機、特に証券印刷機における乾燥装置のコンフィギュレーションであって、当該印刷機は少なくとも１つの印刷ユニット１９；２３；１９’；２３’を備えており、その印刷位置０６；０７；０６’；０７’において、当該印刷位置０６；０７；０６’；０７’における被印刷物送りに対して固定のサイクル長ＬＺのサイクルＺで、当該印刷位置０６；０７を通過する被印刷物０２の区間、特に被印刷シート０２に区間ごとに、印刷画像長Ｌ４４の印刷画像が、特にちょうど１つの１部分または多部分構成の印刷画像が印刷され、乾燥装置は、被印刷物経路上において印刷位置０６；０７；０６’；０７’より後置された１部品または多部品構成の乾燥手段３８を備えた乾燥器１４；１６；３６を有し、当該乾燥器１４；１６；３６によって、当該乾燥器１４；１６；３６を通過する被印刷物０２を乾燥させるため、被印刷物０２の搬送方向に延在する少なくとも１つのトラックｔ１；ｔｉで、当該被印刷物０２に放射が印加され、さらに、当該乾燥器１４；１６；３６の動作を制御する制御装置３７が設けられている乾燥装置のコンフィギュレーションに際しては、実行中または待機中の製造のために、‐たとえば特に‐画像取得ならびに／もしくは画像解析装置８９に基づくデータＰ、または画像取得および／または画像解析装置８９から得られたデータＰを使用して調整および／または変化させることにより、乾燥器１４；１６；３６によって印加される少なくとも１つのトラックｔ１；ｔｉの側方の位置および／または幅について乾燥装置のコンフィギュレーションを行う。
【０１８４】
データＰの出所の第１の態様では、画像取得および／または画像解析装置８９に既に、印刷されたばかりの位置の予測される画像パターンについての情報、たとえば上流にて施された画像要素５７または画像要素群についての情報が供給され、取得および解析が当該位置に集中するように構成することができる。この情報はその後、データＰとして、またはこれを含むように、もしくはこれに対応して処理された情報Ｉ（Ｐ）として、制御装置３７に供給することができる。
【０１８５】
第２の態様では、上流にて画像要素５７または画像要素群（ここではたとえば、施された偽造防止特徴）の位置および／または大きさについて上述のデータＰを、たとえば画像取得および／または画像解析装置８９によって初めて取得し、たとえば、カメラ９１等の画像取得装置９１によって印刷画像を取得し、これに応じて、たとえばカメラまたは特殊なＤＶ手段に備えつけられたカメラソフトウェア等の解析装置９２によって処理することにより、これに対応する、位置および／または大きさを表すデータＰまたは情報Ｉ（Ｐ）を得る。
【０１８６】
データＰないしは情報Ｉ（Ｐ）の出所の如何にかかわらず、コンフィギュレーションにおいて当該データＰないしは情報Ｉ（Ｐ）を使用して、有利には、少なくとも１つのトラックｔ１；ｔｉにおいて乾燥を生じさせる乾燥要素３８ｋの位置および／または幅を規定および／または変化させる。
【０１８７】
さらに、有利な一発展形態では、装置８９に基づくデータＰ、または装置８９から得られたデータＰを使用して、サイクル長ＬＺより短い少なくとも１つの作動期間ＰＡＮの、サイクルＺを基準とする位置および／または長さに関するコンフィギュレーションを行う。
【０１８８】
乾燥装置のコンフィギュレーションはたとえば、乾燥器１４；１６；３６を通過する被印刷物０２を乾燥させるため、互いに離隔した複数のトラックｔ１；ｔｉで当該被印刷物０２に放射を印加するように行われる。トラックｔ１；ｔｉの側方のコンフィギュレーションはたとえば、印刷ユニット１９；２３；１９’；２３’によって被印刷物０２上に、特に規則的な行および列で施された、または施される画像要素５６または画像要素群の位置および／または大きさについてのデータＰを使用して行われる。
【０１８９】
第１の実施形態では、搬送方向における乾燥装置のコンフィギュレーションないしはその動作はたとえば、乾燥器１４；１６；３６を通過する被印刷物０２を乾燥させるため、サイクルＺごとに、当該サイクルＺより短い１つの期間ＰＡＮでのみ、当該被印刷物０２に放射を印加するように行われる。その際には、期間ＰＡＮの位置および／または長さのコンフィギュレーションはたとえば、被印刷物長Ｌ０２を表す宣言を使用して行われる。
【０１９０】
たとえば第１の実施形態に代わる第２の選択可能な実施形態の乾燥装置のコンフィギュレーションでは、このコンフィギュレーションはたとえば、装置８９に基づくデータＰまたは装置８９から得られたデータＰを使用して、乾燥器１４；１６；３６を通過する被印刷物０２を乾燥させるため、サイクルＺの非作動期間ＰＡＢによって途切れた複数の期間ＰＡＮ内に、当該被印刷物０２に放射を印加するように行われる。
【０１９１】
印刷機および乾燥装置の有利な一構成では、データＰないしは情報Ｉ（Ｐ）は、画像取得装置９１の画像を処理する解析装置９２から得られるものである。データＰないしは情報Ｉ（Ｐ）はたとえば、上流にて被印刷物０２に施された画像要素５６または画像要素群の位置および／または大きさについての宣言を含む。
【０１９２】
特に有利なのは、画像取得および／または画像解析装置８９が検査システム８９として構成されていることである。これはたとえば、印刷ユニット１９；２３；１９’；２３’より下流の被印刷物経路上に配置されており、印刷の所定の品質特徴の有無について監視する。かかるシステムはたとえば、検査用に既に構成されたものであり、たとえば、印刷された画像要素５６、特に偽造防止特徴を識別して、解析を選択的にこの画像要素５６に向けるためのアルゴリズムを備えている。こうするためにはたとえば、１つまたは複数の被印刷物区間０２、たとえばシート０２に、機械によって印刷を行い、かつ検査システム８９によって関連の画像要素５６について解析を行う。この段階では、乾燥器１４；１６；３６ないしは乾燥手段３８はたとえば全長において、しかし特に少なくとも被印刷物幅Ｂ０２において、連続動作する。‐検査対象かつ乾燥対象の‐画像要素５６ないしは画像要素群の位置および／または寸法についての確定されたデータＰないしは情報Ｉ（Ｐ）が得られた後に初めて、乾燥器１４；１６；３６ないしは乾燥手段３８の動作をコンフィギュレーションに従ってトラックｔ１；ｔｉで、かつ／またはタイミング制御下で行う。
【０１９３】
第２の構成の‐特に上記のようにコンフィギュレーションされる‐乾燥器１４；１６；３６はたとえば、横方向において固定のまたは少なくとも事前定義された数ｚのゾーンを、ソフトウェア形式で、または回路技術により既に有しておくことができ、これらの各ゾーンはそれぞれ、固定のまたは少なくとも事前定義された数ｓの隣り合って配列された、上述の意義における放射セグメント（１列または複数列）を有する。ここで、ｚ∈Ｎ≧２、特に≧３であり、ｓ∈Ｎ≧５、特に≧８である。ゾーンの数ｚはたとえば、印刷機の標準製造の際において印刷のために隣り合って設けられた利用部分５７の数Ｎｘに相当する。ここでは、たとえばｚ＝Ｎｘ≧３、たとえばｚ＝Ｎｘ＝７である。このゾーンは、側方の位置について固定的であり、または少なくとも事前定義されている。
【０１９４】
‐中程度の分解能の‐第１の実施形態では、各ゾーンはそれぞれ少なくとも５つ、有利には少なくとも８つ、たとえば１０個のセグメントを有する。コンフィギュレーションに際してはたとえば、ゾーンの各放射セグメントを作動させ、または非作動化することができ、たとえば、１つもしくは複数のゾーンの表示にて直接（上記参照）、または上記の操作要素を介して選択することができ、たとえば、ゾーンごとにデータワード内の制御ビットによって選択することにより、該当の放射源３８ｋ，ｉを呼び出すことができる。
【０１９５】
‐たとえば分解能を上昇させた‐第２の実施形態では、各ゾーンはたとえば、それぞれ少なくとも５０個、有利には少なくとも８０個、たとえば９０個のセグメントを有する。その際には、ゾーンのセグメントまたは乾燥手段全体のセグメントに、たとえば連続番号を付与する。コンフィギュレーションに際してはたとえば、上記セグメントまたは各セグメントを、右側および左側の境界放射セグメント（上記参照）の宣言によって選択することができ、たとえば、‐たとえば必要な‐ゾーンごとに１つのデータワード内の開始アドレスと終了アドレスとによって、該当の放射源３８ｋ，ｉを呼び出すことができる。
【０１９６】
これら双方の実施形態は、たとえば上記のようにタイミング制御下で動作し、かつ／または動作可能である。こうするためには、コンフィギュレーションの際に選択されたセグメントを、機械位相および／または被印刷物位相との関係において、かつ／またはこれと同期してオンオフスイッチングする。
【０１９７】
ゾーンのコンフィギュレーションは、上述のように、たとえばコントロールセンタに備えつけられた操作インタフェース５５において、たとえば適切な構成の１つまたは複数のディスプレイマスク８４；８５；８６；８８を用いて行われ、印刷機に検査システムが設けられている場合には代替的に、これにより得られたデータから行われる。その際には、このデータは場合によっては、操作インタフェース５５において補正することができる。
【０１９８】
装置８９に関するデータＰないしは情報Ｉ（Ｐ）または装置８９から出力されたデータＰないしは情報Ｉ（Ｐ）を用いた上記構成のコンフィギュレーションと共に、選択的に、または補正のために、手動調整および／または手動補正を行うことができる上述の操作インタフェース５５を設けることもできる。
【符号の説明】
【０１９９】
０１  供給装置、シートフィーダ
０２  被印刷物、被印刷シート、被印刷物区間、シート
０３  印刷アセンブリ
０３’  印刷アセンブリ
０３’’  印刷アセンブリ
０４  製品排出部
０５  −
０６  印刷位置、ニップ位置
０６’  印刷位置、ニップ位置
０６’’  印刷位置
０７  印刷位置、ニップ位置
０７’  印刷位置
０７’’   印刷位置、２重印刷位置
０８  グリップ装置
０９  搬送区間、ベルトシステム、コンベヤシステム
１０  −
１１  渡し胴
１２  受取胴
１３  搬送区間、ベルトシステム
１４  乾燥器、放射乾燥器
１５  −
１６  乾燥器、放射乾燥器
１７  調整装置、磁力線を印加するための装置
１８  回転体、胴、版胴、スクリーン胴、凸版圧胴
１８’  胴、版胴、凸版圧胴
１８’’  版胴
１９  印刷ユニット、スクリーン印刷ユニット、番号印刷ユニット
１９’  印刷ユニット、番号印刷ユニット
１９’’  印刷ユニット、オフセット印刷ユニット
２０  −
２１  回転体、印刷ユニット胴、対向圧および／または搬送胴
２２  回転体、胴、版胴、スクリーン胴、凸版圧胴
２２’’  版胴
２３  印刷ユニット、スクリーン印刷ユニット、番号印刷ユニット
２３’  印刷ユニット、番号印刷ユニット
２３’’  印刷ユニット、オフセット印刷ユニット
２４  保持装置、くわえ爪装置
２５  印刷要素、主題
２５’  印刷要素、番号印刷モジュール、凸版印刷主題、番号印刷装置
２６  溝
２７  周面
２８  切れ目、開口、溝開口
２９  インキ着け補助部、カバー要素、フラップ
３０  −
３１  刷版、スクリーン印刷版、スクリーン印刷ステンシル
３２  刷版、スクリーン印刷ステンシル
３３  スクイージ装置
３４  スクイージ
３５  信号接続部
３６  乾燥器、放射乾燥器、中間乾燥器
３７  制御装置、制御回路、データ処理手段
３８  乾燥手段、放射源
３８ｋ  乾燥要素、放射源、群
３８ｋ，ｉ  乾燥要素、乾燥手段源、光源、放射源、ＵＶ‐ＬＥＤ、ＬＥＤ
３９  制御装置
４０  −
４１  駆動モータ
４２  タイミングジェネレータ、マスタ、制御軸、センサ系、制御軸信号発生器、信号発生器
４３  −
４４  印刷領域
４５  −
４６  印刷ストリップ
４７  計画および／または制御レベル
４８  制御手段、演算および／またはデータ処理手段、データ処理および／または制御手段
４９  乾燥器制御部
５０  −
５１  制御手段、データ処理および／または制御手段、制御手段
５２  印刷列
５３  信号接続部
５４  制御手段
５５  操作インタフェース、キーボード、ディスプレイ、タッチスクリーン、タッチパネル
５６  印刷画像要素、画像要素
５７  利用部分
５８  手段、回転体、磁化シリンダ
５９  データインタフェース
６０  −
６１  操作要素、フィールド、キー
６２  操作要素、フィールド、キー
６３  操作要素、フィールド、キー
６４  表示フィールド
６５  −
６６  操作面、入力マスク、ディスプレイマスク
６７  操作要素、キー
６８  操作要素、キー
６９  操作要素
７０  −
７１  操作要素、フィールド
７２  操作要素、フィールド
７３  操作要素、フィールド
７４  操作要素、フィールド
７５  −
７６  操作要素、フィールド
７７  操作要素、フィールド
７８  操作要素、フィールド
７９  操作要素
８０  −
８１  操作要素、フィールド
８２  操作要素、フィールド
８３  操作要素、フィールド
８４  操作面、入力マスク、ディスプレイマスク
８５  操作面、入力マスク、ディスプレイマスク
８６  操作面、入力マスク、ディスプレイマスク
８７  操作要素
８８  操作面、入力マスク、ディスプレイマスク
８９  画像取得および／または画像解析装置、検査システム
９０  −
９１  画像取得装置、カメラ
９２  解析装置
Ａ  有効範囲
ａｊ  有効範囲、乾燥範囲
ｂｊ  有効範囲、トラック幅
ＡＢ  オフ状態、非作動状態
ＡＮ  オン状態、作動状態
ＰＡＢ  期間
ＰＡＮ  期間
ＳＺ  スイッチング状態
ＳＺＡＢ  スイッチング状態
ＳＺＡＮ  スイッチング状態
Ｂ０２  被印刷物幅
Ｂ０２ｍａｘ  被印刷物最大幅
Ｂ４４  印刷領域幅、印刷画像幅
Ｂ５７  幅
ｂ３８  幅
Ｌ０２  長さ、被印刷物長、シート長
Ｌ０２．１  被印刷物長、サイズ長
Ｌ０２．２  被印刷物長、サイズ長
Ｌ４４  印刷画像長、印刷領域長
Ｌ５７  長さ
ＬＤ  長さ
ＬＮ  長さ
Ｉ  情報
Ｉ（Ｆ）  情報
Ｉ（Ｇ（ｋ））  情報
Ｉ（Ｌ４４）  情報
Ｉ（Ｍ）  情報
Ｉ（Ｐ）  情報
Ｉ（Ｖ）  情報
Ｅ０２  平面
ｅ１  境界放射源
ｅ２  境界放射源
Ｆ．１  サイズ
Ｆ．２  サイズ
Ｇ（ｋ）  選択
Ｇ（ｘ）  選択
ＬＺ  サイクル長
Ｎｘ  数
Ｎｙ  数
ＳＫ  信号、トリガ信号
ＳＴ  信号、タイミング制御信号
ｔ  時点
ｔｉ  トラック（ｉ＝｛１，２，・・・ｍ｝）
ａｓ  距離
ＵＤ  区間、周面区間、円筒周面区間（印刷に使用可能）
ＵＮ   周面区間、円筒周面区間（印刷に使用不可）
Ｍ  機械中心線
Ｖ  機械速度、被印刷物送り速度、速度
ｘ  横方向
ｙ  長手方向
Ｚ  サイクル
Ｚ１  サイクル
Ｚ２  サイクル
ΔΜ  オフセット
Φ（Ｖ）  関係式
Φ  放射出力
φ  角度
【図１ａ】
0006362789.tif 000002
【図１ｂ】
0006362789.tif 000003
【図１ｃ】
0006362789.tif 000004
【図２ａ）】
0006362789.tif 000005
【図２ｂ）】
0006362789.tif 000006
【図３】
0006362789.tif 000007
【図４】
0006362789.tif 000008
【図５ａ）】
0006362789.tif 000009
【図５ｂ）】
0006362789.tif 000010
【図６】
0006362789.tif 000011
【図７】
0006362789.tif 000012
【図８】
0006362789.tif 000013
【図９ａ）】
0006362789.tif 000014
【図９ｂ）】
0006362789.tif 000015
【図１０ａ）】
0006362789.tif 000016
【図１０ｂ）】
0006362789.tif 000017
【図１１】
0006362789.tif 000018
【図１２ａ）】
0006362789.tif 000019
【図１２ｂ）】
0006362789.tif 000020
【図１３】
0006362789.tif 000021
【図１４】
0006362789.tif 000022
【図１５】
0006362789.tif 000023
【図１６】
0006362789.tif 000024
【図１７ａ）】
0006362789.tif 000025
【図１７ｂ）】
0006362789.tif 000026
【図１８】
0006362789.tif 000027
【図１９】
0006362789.tif 000028
【図２０】
0006362789.tif 000029
【図２１】
0006362789.tif 000030
【図２２】
0006362789.tif 000031
【図２３ａ）】
0006362789.tif 000032
【図２３ｂ）】
0006362789.tif 000033
【図２４】
0006362789.tif 000034
【図２５】
0006362789.tif 000035
【図２６】
0006362789.tif 000036